(57)【要約】  ＵＥグループ内でリソース割当が制限されることを防ぐことができる無線通信基地局装置。この装置において、ＣＣＥ割当部（１０４）は、変調部（１０３−１）〜（１０３−Ｋ）から入力されるＰＤＣＣＨに割り当てられた割当情報を、ＰＤＣＣＨのＣＣＥアグリゲーションサイズがより大きいほどより多くのＵＥグループに共有される複数のサーチスペースのうち、そのＰＤＣＣＨのＣＣＥアグリゲーションサイズとそのＰＤＣＣＨの移動局グループ（ＵＥグループ）とに対応する特定のサーチスペースに割り当てる。そして、配置部（１０８）は、割当情報をＰＤＣＣＨ用に確保された下り回線リソースのうち割り当てた特定のサーチスペースのＣＣＥに対応する下り回線リソースに配置する。そして、無線送信部（１１１）は、割当情報が配置されたＯＦＤＭシンボルをアンテナ（１１２）から移動局へ送信する。
2009087742.tif 000002
【特許請求の範囲】
【請求項１】
１つまたは複数のＣＣＥを占有する制御チャネルを、制御チャネルのＣＣＥ占有数がより多いほどより多くのＵＥグループに共有される複数のＣＣＥ領域のうち、前記制御チャネルのＣＣＥ占有数と前記制御チャネルのＵＥグループとに対応する特定のＣＣＥ領域に割り当てる割当手段と、
前記特定のＣＣＥ領域に割り当てられた前記制御チャネルを送信する送信手段と、
を具備する無線通信基地局装置。
【請求項２】
前記割当手段は、前記制御チャネルを、前記ＣＣＥ占有数がより多いほどＣＣＥ領域がより大きい前記複数のＣＣＥ領域のうちの前記特定のＣＣＥ領域に割り当てる、
請求項１記載の無線通信基地局装置。
【請求項３】
前記割当手段は、最多のＣＣＥ占有数に対応するＣＣＥ領域がすべてのＵＥグループに共有され、かつ、最少のＣＣＥ占有数に対応するＣＣＥ領域がＵＥグループ毎に異なる前記複数のＣＣＥ領域のいずれかを用いる、
請求項１記載の無線通信基地局装置。
【請求項４】
前記割当手段は、前記制御チャネルを、前記制御チャネルのＣＣＥ占有数より多いＣＣＥ占有数の複数の制御チャネルそれぞれが占有するＣＣＥで構成される前記特定のＣＣＥ領域に割り当てる、
請求項１記載の無線通信基地局装置。
【請求項５】
前記割当手段は、前記制御チャネルを、同一ＵＥグループ内の、互いに異なるＣＣＥ占有数の、互いに異なるＣＣＥで構成される前記複数のＣＣＥ領域のうちの前記特定のＣＣＥ領域に割り当てる、
請求項１記載の無線通信基地局装置。
【請求項６】
前記割当手段は、前記制御チャネルを、前記ＣＣＥ占有数がより少ないほどより少ないＣＣＥで構成される前記複数のＣＣＥ領域のうちの前記特定のＣＣＥ領域に割り当てる、
請求項１記載の無線通信基地局装置。
【請求項７】
１つまたは複数のＣＣＥを占有する制御チャネルであって、制御チャネルのＣＣＥ占有数がより多いほどより多くのＵＥグループに共有される複数のＣＣＥ領域のうち、前記制御チャネルのＣＣＥ占有数と前記制御チャネルのＵＥグループとに対応する特定のＣＣＥ領域に割り当てられた前記制御チャネルを受信する受信手段と、
前記制御チャネルを自局宛ての制御チャネルであるか否か判定する判定手段と、
を具備する無線通信移動局装置。
【請求項８】
１つまたは複数のＣＣＥを占有する制御チャネルを、制御チャネルのＣＣＥ占有数がより多いほどより多くのＵＥグループに共有される複数のＣＣＥ領域のうち、前記制御チャネルのＣＣＥ占有数と前記制御チャネルのＵＥグループとに対応する特定のＣＣＥ領域に割り当てる、
制御チャネル割当方法。
【発明の詳細な説明】
【技術分野】
【０００１】
本発明は、無線通信基地局装置、無線通信移動局装置および制御チャネル割当方法に関する。
【背景技術】
【０００２】
移動体通信では、無線通信基地局装置（以下、基地局と省略する）は下り回線データおよび上り回線データのリソース割当結果を通知するための制御情報を無線通信移動局装置（以下、移動局と省略する）へ送信する。この制御情報は例えばＰＤＣＣＨ（Physical Downlink Control Channel）等の下り回線制御チャネルを用いて移動局へ送信される。各ＰＤＣＣＨは１つまたは連続する複数のＣＣＥ（Control Channel Element）を占有する。基地局は移動局毎にＰＤＣＣＨを生成し、制御情報が必要とするＣＣＥ数に従ってＰＤＣＣＨに占有すべきＣＣＥを割り当て、割り当てたＣＣＥに対応する物理リソースに制御情報をマッピングして送信する。【０００３】
例えば、伝搬路品質の劣悪なセル境界付近に位置する移動局に対しては、所望受信品質を満たすために、ＭＣＳ（Modulation and Coding Scheme）レベルが低いＭＣＳを設定する必要がある。そこで、基地局では、より多くのＣＣＥ（例えば８つのＣＣＥ）を占有したＰＤＣＣＨが送信される。一方、伝搬路品質の良好なセル中心付近に位置する移動局に対してはＭＣＳレベルが高いＭＣＳを設定しても所要受信品質を満たすことができる。そのため、基地局では、より少ないＣＣＥ（例えば、１つのＣＣＥ）を占有したＰＤＣＣＨが送信される。ここで、１つのＰＤＣＣＨが占有するＣＣＥの数（ＣＣＥ占有数）をＣＣＥアグリゲーションサイズ（CCE Aggregation size）と呼ぶ。例えば、ＣＣＥアグリゲーションサイズが１，２，４，８の場合、セル中心付近に位置する移動局は、ＣＣＥアグリゲーションサイズが１のＰＤＣＣＨの受信を試み、セルエッジ付近に位置する移動局は、ＣＣＥアグリゲーションサイズが８のＰＤＣＣＨの受信を試みる。【０００４】
また、基地局は１サブフレームに複数の移動局を割り当てるため、複数のＰＤＣＣＨを同時に送信する。このとき、基地局では、各ＰＤＣＣＨの送信先の移動局を識別するために、送信先の移動局ＩＤ番号でスクランブリングされたＣＲＣビットが制御情報に含まれて送信される。そして、移動局では、ＰＤＣＣＨが配置される可能性があるＣＣＥに対して復号を行い、自局の移動局ＩＤ番号でＣＲＣビットをデスクランブリングした後にＣＲＣ判定を行う。このように、移動局は、受信信号に含まれる複数のＰＤＣＣＨをブラインド復号することにより自局宛てのＰＤＣＣＨを検出する。【０００５】
ただし、ＣＣＥ総数が多い場合には、移動局でのブラインド復号の回数が多くなる。そこで、移動局でのブラインド復号の回数を削減することを目的として、ブラインド復号の対象となるＣＣＥを、移動局毎に限定する方法が検討されている（非特許文献１参照）。この方法では、複数の移動局をグループ化して、グループ毎にブラインド復号対象となるＣＣＥであるＣＣＥ領域を限定する。例えば、複数の移動局をＵＥグループ＃１〜＃４にグループ化して、ＣＣＥ＃０〜＃３１のうち、ＣＣＥ＃０〜＃７，ＣＣＥ＃８〜＃１５，ＣＣＥ＃１６〜＃２３，ＣＣＥ＃２４〜＃３１の４つのＣＣＥ領域をそれぞれのＵＥグループのブラインド復号対象となるＣＣＥ領域とする。これにより、各ＵＥグループの移動局では、自局に割り当てられたＣＣＥ領域に対してのみ、ブラインド復号を行えばよいため、ブラインド復号の回数を削減することができる。ここで、移動局によるブラインド復号対象となるＣＣＥ領域をサーチスペース（Search Space）と呼ぶ。【０００６】
また、移動局でのブラインド復号の回数を削減することを目的として、各ＣＣＥアグリゲーションサイズのＰＤＣＣＨが占有するＣＣＥの開始位置を予め限定する方法が検討されている（非特許文献２）。この方法では、例えば、ＣＣＥ＃０〜＃３１において、ＣＣＥアグリゲーションサイズが８の場合、ＰＤＣＣＨが占有するＣＣＥ（８個のＣＣＥ）の開始位置が、ＣＣＥ＃０，ＣＣＥ＃８，ＣＣＥ＃１６，ＣＣＥ＃２４に限定される。これにより、各移動局では、ＣＣＥの開始位置から始まるＣＣＥアグリゲーションサイズのＰＤＣＣＨをブラインド復号すればよいため、ブラインド復号の回数を削減することができる。
【非特許文献１】3GPP RAN WG1 Meeting document, R1-073996, “Search Space definition :Reduced PDCCH blind detection for split PDCCH search space”, Motorola
【非特許文献２】3GPP RAN WG1 #50bis, R1-074317, “Reducing the decoding complexity of the PDCCH”, Nokia
【発明の開示】
【発明が解決しようとする課題】
【０００７】
上記従来技術のように、複数の移動局を複数のＵＥグループにグループ化して、ＵＥグループ毎にサーチスペースを設定する場合、ＵＥグループ内でより大きいＣＣＥアグリゲーションサイズのＰＤＣＣＨが使用されると、他の移動局にＰＤＣＣＨを割り当てることができなくなることがある。例えば、ＣＣＥ＃０〜＃３１のうち、サーチスペースがＣＣＥ＃０〜ＣＣＥ＃７で構成されたＵＥグループにおいて、ＣＣＥアグリゲーションサイズが８のＰＤＣＣＨをある移動局に割り当てると、ＣＣＥ＃０〜＃７をすべて占有するため、他の移動局にＰＤＣＣＨを割り当てられなくなる。このように、ＵＥグループ内での移動局に対するリソース割当が制限されるため、大きな伝送遅延が発生したり、伝搬路品質が良好である移動局に対して制御情報を送信できなくなったりする可能性があり、セルスループットが低下してしまう。【０００８】
本発明の目的は、ＵＥグループ内でリソース割当が制限されることを防ぐことができる無線通信基地局装置、無線通信移動局装置および制御チャネル割当方法を提供することである。
【課題を解決するための手段】
【０００９】
本発明の無線通信基地局装置は、１つまたは複数のＣＣＥを占有する制御チャネルを、制御チャネルのＣＣＥ占有数がより多いほどより多くのＵＥグループに共有される複数のＣＣＥ領域のうち、前記制御チャネルのＣＣＥ占有数と前記制御チャネルのＵＥグループとに対応する特定のＣＣＥ領域に割り当てる割当手段と、前記特定のＣＣＥ領域に割り当てられた前記制御チャネルを送信する送信手段と、を具備する構成を採る。
【発明の効果】
【００１０】
本発明によれば、ＵＥグループ内でリソース割当が制限されることを防ぐことができる。
【図面の簡単な説明】
【００１１】
【図１】本発明の実施の形態１に係る基地局の構成を示すブロック図
【図２】本発明の実施の形態１に係る移動局の構成を示すブロック図
【図３】本発明の実施の形態１の割当方法１に係るサーチスペースを示す図
【図４】本発明の実施の形態１の割当方法２に係るサーチスペースを示す図
【図５】本発明の実施の形態１の割当方法２に係るその他のサーチスペースを示す図
【図６】本発明の実施の形態１の割当方法３に係るサーチスペースを示す図
【図７】本発明の実施の形態１の割当方法４に係るサーチスペースを示す図
【図８】本発明の実施の形態１のその他のサーチスペースを示す図
【図９】本発明の実施の形態２に係るサーチスペースを示す図
【図１０】本発明の実施の形態２に係るその他のサーチスペースを示す図
【発明を実施するための最良の形態】
【００１２】
以下、本発明の実施の形態について、添付図面を参照して詳細に説明する。以下の説明では、ＰＤＣＣＨが割り当てられるＣＣＥの総数をＣＣＥ＃０〜ＣＣＥ＃３１の３２個とし、ＰＤＣＣＨのＣＣＥアグリゲーションサイズを１，２，４，８とする。また、１つのＰＤＣＣＨが複数のＣＣＥを占有する場合、１つのＰＤＣＣＨは連続する複数のＣＣＥを占有するものとする。【００１３】
また、各ＣＣＥアグリゲーションサイズにおいて、ＰＤＣＣＨが割り当てられるＣＣＥの開始位置は予め設定されているとする。具体的には、ＣＣＥアグリゲーションサイズが１の場合、ＰＤＣＣＨは、ＣＣＥ＃０〜ＣＣＥ＃３１のいずれかに割り当てられる。また、ＣＣＥアグリゲーションサイズが２の場合、ＰＤＣＣＨは、ＣＣＥ＃０，ＣＣＥ＃２，ＣＣＥ＃４，…，ＣＣＥ＃２８，ＣＣＥ＃３０を開始位置とする２個のＣＣＥに割り当てられる。同様に、ＣＣＥアグリゲーションサイズが４の場合、ＰＤＣＣＨは、ＣＣＥ＃０，ＣＣＥ＃４，ＣＣＥ＃８，ＣＣＥ＃１２，ＣＣＥ＃１６，…，ＣＣＥ＃２４，ＣＣＥ＃２８を開始位置とする４個のＣＣＥに割り当てられ、ＣＣＥアグリゲーションサイズが８の場合、ＰＤＣＣＨは、ＣＣＥ＃０，ＣＣＥ＃８，ＣＣＥ＃１６，ＣＣＥ＃２４を開始位置とする８個のＣＣＥに割り当てられる。【００１４】
また、以下の説明では、各移動局のセル内の位置に応じて、その移動局が受信すべきＰＤＣＣＨのＣＣＥアグリゲーションサイズが決定される。例えば、セルエッジ付近に位置する移動局は、伝搬路品質が劣悪であるため、より低いＭＣＳで送信する割合が高くなる。よって、セルエッジ付近に位置する移動局のＣＣＥアグリゲーションサイズを４または８に限定する。一方、セル中心に位置する移動局は、伝搬路品質が良好であるため、より高いＭＣＳで送信する割合が高くなる。よって、セル中心付近に位置する移動局のＣＣＥアグリゲーションサイズを１または２に限定する。各移動局は、受信品質等から判断される自局のセル内の位置に基づいて、自局が受信すべきＰＤＣＣＨのＣＣＥアグリゲーションサイズを決定してもよいし、自局が受信すべきＰＤＣＣＨのＣＣＥアグリゲーションサイズを予め通知されてもよい。【００１５】
また、以下の説明では、セル内に位置する移動局は、４つの移動局グループ（ＵＥグループ＃１〜＃４）にグループ化される。なお、各移動局が属する移動局グループは、移動局毎に基地局から通知されてもよく、移動局ＩＤにより暗示的に決定されてもよい。【００１６】
また、下り回線データはＯＦＤＭ（Orthogonal Frequency Division Multiplexing）により伝送され、上り回線データはＳＣ−ＦＤＭＡ（Single-Carrier Frequency Division Multiple Access）により伝送されるものとする。また、上り回線で伝送される応答信号は、ＺＡＣ（Zero Auto Correlation）系列による１次拡散とブロックワイズ拡散系列（Block-wise spreading code sequence）による２次拡散が施されるものとする。【００１７】
（実施の形態１）
本実施の形態に係る基地局１００の構成を図１に示し、本実施の形態に係る移動局２００の構成を図２に示す。【００１８】
なお、説明が煩雑になることを避けるために、図１では、本発明と密接に関連する下り回線データの送信、および、その下り回線データに対する応答信号の上り回線での受信に係わる構成部を示し、上り回線データの受信に係わる構成部の図示および説明を省略する。同様に、図２では、本発明と密接に関連する下り回線データの受信、および、その下り回線データに対する応答信号の上り回線での送信に係わる構成部を示し、上り回線データの送信に係わる構成部の図示および説明を省略する。【００１９】
図１に示す基地局１００において、符号化部１０１には、各移動局グループ（ＵＥグループ＃１〜＃４）のサーチスペース定義を示す移動局グループ情報が入力される。符号化部１０１は、入力される移動局グループ情報を符号化して変調部１０２に出力する。そして、変調部１０２は、符号化部１０１から入力される符号化後の移動局グループ情報を変調して配置部１０８に出力する。【００２０】
符号化・変調部１０３−１〜１０３−Ｋには、各移動局宛ての上り回線データまたは下り回線データのリソース割当情報が入力される。ここで、各割当情報は、割当情報の送信に必要なＣＣＥアグリゲーションサイズのＰＤＣＣＨに割り当てられている。また、符号化・変調部１０３−１〜１０３−Ｋは、最大Ｋ個の移動局＃１〜＃Ｋに対応して備えられる。符号化・変調部１０３−１〜１０３−Ｋにおいて、各符号化部１１は、入力されるＰＤＣＣＨに割り当てられた割当情報を符号化して各変調部１２に出力する。そして、各変調部１２は、各符号化部１１から入力される符号化後の各割当情報を変調してＣＣＥ割当部１０４に出力する。【００２１】
ＣＣＥ割当部１０４は、変調部１０３−１〜１０３−Ｋから入力される割当情報を、移動局グループ情報に基づいて１つまたは複数のＣＣＥのいずれかに割り当てる。具体的には、ＣＣＥ割当部１０４は、ＰＤＣＣＨを、ＰＤＣＣＨのＣＣＥアグリゲーションサイズがより大きいほどより多くのＵＥグループに共有される複数のサーチスペースのうち、そのＰＤＣＣＨのＣＣＥアグリゲーションサイズとそのＰＤＣＣＨの移動局グループ（ＵＥグループ）とに対応する特定のサーチスペースに割り当てる。そして、ＣＣＥ割当部１０４は、各ＣＣＥに割り当てられた割当情報を配置部１０８に出力する。ＣＣＥ割当部１０４におけるＰＤＣＣＨ割当処理の詳細については後述する。【００２２】
一方、符号化部１０５は、入力される送信データ（下り回線データ）を符号化して再送制御部１０６に出力する。なお、複数の移動局に対する送信データがある場合、符号化部１０５は、各移動局宛ての送信データをそれぞれ符号化する。【００２３】
再送制御部１０６は、初回送信時には、符号化後の送信データを移動局毎に保持するとともに変調部１０７に出力する。再送制御部１０６は、各移動局からのＡＣＫが判定部１１７から入力されるまで送信データを保持する。また、再送制御部１０６は、各移動局からのＮＡＣＫが判定部１１７から入力された場合、すなわち、再送時には、そのＮＡＣＫに対応する送信データを変調部１０７に出力する。【００２４】
変調部１０７は、再送制御部１０６から入力される符号化後の送信データを変調して配置部１０８に出力する。【００２５】
配置部１０８は、割当情報をＰＤＣＣＨ用に確保された下り回線リソースのうち割り当てたＣＣＥに対応する下り回線リソースに配置し、移動局グループ情報をブロードキャストチャネル用に確保された下り回線リソースに配置し、送信データを送信データ用に確保された下り回線リソースに配置する。そして、配置部１０８は、各チャネルを配置した後の信号をＩＦＦＴ（Inverse Fast Fourier Transform）部１０９に出力する。【００２６】
ＩＦＦＴ部１０９は、割当情報、移動局グループ情報または送信データが配置された複数のサブキャリアに対してＩＦＦＴを行ってＯＦＤＭシンボルを生成し、ＣＰ（Cyclic Prefix）付加部１１０に出力する。【００２７】
ＣＰ付加部１１０は、ＯＦＤＭシンボルの後尾部分と同じ信号をＣＰとしてＯＦＤＭシンボルの先頭に付加する。【００２８】
無線送信部１１１は、ＣＰ付加後のＯＦＤＭシンボルに対しＤ／Ａ変換、増幅およびアップコンバート等の送信処理を行ってアンテナ１１２から移動局２００（図２）へ送信する。【００２９】
一方、無線受信部１１３は、各移動局から送信されたＳＣ−ＦＤＭＡシンボルをアンテナ１１２を介して受信し、このＳＣ−ＦＤＭＡシンボルに対しダウンコンバート、Ａ／Ｄ変換等の受信処理を行う。【００３０】
ＣＰ除去部１１４は、受信処理後のＳＣ−ＦＤＭＡシンボルに付加されているＣＰを除去する。【００３１】
逆拡散部１１５は、移動局２００において２次拡散に用いられたブロックワイズ拡散コード系列で応答信号を逆拡散し、逆拡散後の応答信号を相関処理部１１６に出力する。【００３２】
相関処理部１１６は、逆拡散後の応答信号と、移動局２００において１次拡散に用いられたＺＡＣ系列との相関値を求めて判定部１１７に出力する。【００３３】
判定部１１７は、各検出窓に移動局毎の相関ピークを検出することにより、移動局毎の応答信号を検出する。例えば、判定部１１７は、移動局＃０用の検出窓＃０に相関ピークが検出された場合には、移動局＃０からの応答信号を検出する。そして、判定部１１７は、検出された応答信号がＡＣＫまたはＮＡＣＫのいずれであるかを参照信号の相関値を用いた同期検波によって判定し、移動局毎のＡＣＫまたはＮＡＣＫを再送制御部１０６に出力する。【００３４】
一方、図２に示す移動局２００では、基地局１００から送信された移動局グループ情報、割当情報、下り回線データをそれぞれ受信する。以下、各情報の受信方法について説明する。【００３５】
図２に示す移動局２００において、無線受信部２０２は、基地局１００（図１）から送信されたＯＦＤＭシンボルをアンテナ２０１を介して受信し、ＯＦＤＭシンボルに対しダウンコンバート、Ａ／Ｄ変換等の受信処理を行う。【００３６】
ＣＰ除去部２０３は、受信処理後のＯＦＤＭシンボルに付加されているＣＰを除去する。【００３７】
ＦＦＴ（Fast Fourier Transform）部２０４は、ＯＦＤＭシンボルに対してＦＦＴを行って複数のサブキャリアにマッピングされている割当情報、移動局グループ情報を含む報知情報、または、下り回線データを得て、それらを分離部２０５に出力する。【００３８】
分離部２０５は、ＦＦＴ部２０４から入力される信号に対して、ブロードキャストチャネル用に予め確保されたリソースに配置されている報知情報を分離して報知情報復号部２０６に出力し、報知情報以外の情報を抽出部２０７に出力する。【００３９】
報知情報復号部２０６は、分離部２０５から入力される報知情報を復号して、移動局グループ情報を取り出し、移動局グループ情報を抽出部２０７に出力する。【００４０】
抽出部２０７および復号部２０９に対して、割当情報の符号化率を示す符号化率情報、すなわち、ＰＤＣＣＨのＣＣＥアグリゲーションサイズを示す情報が予め入力されているとする。なお、ＰＤＣＣＨのＣＣＥアグリゲーションサイズを示す情報は、基地局１００から指示されてもよく、パイロット信号の受信品質に基づいて移動局２００により決定されてもよい。【００４１】
また、抽出部２０７は、割当情報の受信時には、入力されるＣＣＥアグリゲーションサイズおよび移動局グループ情報に示される自局が属する移動局グループのサーチスペースに従って、複数のサブキャリアからブラインド復号対象となる割当情報を抽出して復調部２０８に出力する。【００４２】
復調部２０８は、割当情報を復調して復号部２０９に出力する。【００４３】
復号部２０９は、入力されるＣＣＥアグリゲーションサイズに従って割当情報を復号して判定部２１０に出力する。【００４４】
一方、下り回線データの受信時には、抽出部２０７は、判定部２１０から入力されるリソース割当結果に従って、複数のサブキャリアから自局宛の下り回線データを抽出して復調部２１２に出力する。この下り回線データは、復調部２１２で復調され、復号部２１３で復号されてＣＲＣ部２１４に入力される。【００４５】
ＣＲＣ部２１４は、復号後の下り回線データに対してＣＲＣを用いた誤り検出を行って、ＣＲＣ＝ＯＫ（誤り無し）の場合はＡＣＫを、ＣＲＣ＝ＮＧ（誤り有り）の場合はＮＡＣＫを応答信号として生成し、生成した応答信号を変調部２１５に出力する。また、ＣＲＣ部２１４は、ＣＲＣ＝ＯＫ（誤り無し）の場合、復号後の下り回線データを受信データとして出力する。【００４６】
判定部２１０は、復号部２０９から入力された割当情報を自局宛の割当情報であるか否かをブラインド判定する。具体的には、判定部２１０は、復号部２０９から入力された割当情報に対して自局宛ての割当情報であるか否かをブラインド判定する。例えば、判定部２１０は、自局のＩＤ番号でＣＲＣビットをデマスキングすることによりＣＲＣ＝ＯＫ（誤り無し）となった割当情報を自局宛の割当情報であると判定する。そして、判定部２１０は、自局宛の割当情報、すなわち、自局に対する下り回線データのリソース割当結果を抽出部２０７に出力する。【００４７】
また、判定部２１０は、自局宛の割当情報が割り当てられたＰＤＣＣＨが配置されていたサブキャリアに対応するＣＣＥ番号から、自局からの応答信号の送信に用いるＰＵＣＣＨ（Physical Uplink Control Channel）を判定し、判定結果（ＰＵＣＣＨ番号）を制御部２１１に出力する。つまり、データの割当に使用されたＰＤＣＣＨに用いられたＣＣＥ番号からＰＵＣＣＨ番号が導出される。例えば、判定部２１０は、自局宛のＰＤＣＣＨが配置されていたサブキャリアに対応するＣＣＥがＣＣＥ＃０である場合は、ＣＣＥ＃０に対応するＰＵＣＣＨ＃０を自局用のＰＵＣＣＨと判定する。また例えば判定部２１０は、自局宛のＰＤＣＣＨが配置されていたサブキャリアに対応するＣＣＥがＣＣＥ＃０〜ＣＣＥ＃３である場合は、ＣＣＥ＃０〜ＣＣＥ＃３において最小番号のＣＣＥ＃０に対応するＰＵＣＣＨ＃０を自局用のＰＵＣＣＨと判定する。【００４８】
制御部２１１は、判定部２１０から入力されたＰＵＣＣＨ番号に従って、拡散部２１６での１次拡散に用いるＺＡＣ系列の循環シフト量および拡散部２１９での２次拡散に用いる、ＬＢ（Long Block）単位での拡散に用いられる拡散コード系列であるブロックワイズ拡散コード系列を制御する。例えば、制御部２１１は、判定部２１０から入力されたＰＵＣＣＨ番号に対応する循環シフト量のＺＡＣ系列をＺＡＣ＃０〜ＺＡＣ＃１１の１２個のＺＡＣの中から選択して拡散部２１６に設定し、判定部２１０から入力されたＰＵＣＣＨ番号に対応するブロックワイズ拡散コード系列をＢＷ＃０〜ＢＷ＃２の３個のブロックワイズ拡散コード系列の中から選択して拡散部２１９に設定する。つまり、制御部２１１は、ＺＡＣ＃０〜ＺＡＣ＃１１とＢＷ＃０〜ＢＷ＃２とによって定義される複数のリソースのうちいずれかのリソースを選択する。【００４９】
変調部２１５は、ＣＲＣ部２１４から入力される応答信号を変調して拡散部２１６に出力する。【００５０】
拡散部２１６は、制御部２１１によって設定されたＺＡＣ系列で応答信号を１次拡散し、１次拡散後の応答信号をＩＦＦＴ部２１７に出力する。つまり、拡散部２１６は、制御部２１１で選択されたリソースに対応する循環シフト量のＺＡＣ系列を用いて応答信号を１次拡散する。なお、１次拡散には、ＺＡＣ系列以外の、互いに異なる循環シフト量により互いに分離可能な系列を用いてもよい。例えば、ＧＣＬ（Generalized Chirp like）系列、ＣＡＺＡＣ（Constant Amplitude Zero Auto Correlation）系列、ＺＣ（Zadoff-Chu）系列、または、Ｍ系列や直交ゴールド符号系列等のＰＮ系列を１次拡散に用いてもよい。【００５１】
ＩＦＦＴ部２１７は、１次拡散後の応答信号に対してＩＦＦＴを行い、ＩＦＦＴ後の応答信号をＣＰ付加部２１８に出力する。【００５２】
ＣＰ付加部２１８は、ＩＦＦＴ後の応答信号の後尾部分と同じ信号をＣＰとしてその応答信号の先頭に付加する。【００５３】
拡散部２１９は、制御部２１１によって設定されたブロックワイズ拡散コード系列でＣＰ付加後の応答信号を２次拡散し、２次拡散後の応答信号を無線送信部２２０に出力する。なお、２次拡散には、互いに直交する系列、または、互いにほぼ直交すると見なせる系列であればいかなる系列をブロックワイズ拡散コード系列として用いてもよい。例えば、ウォルシュ系列またはフーリエ系列等をブロックワイズ拡散コード系列として２次拡散に用いることができる。【００５４】
無線送信部２２０は、２次拡散後の応答信号に対しＤ／Ａ変換、増幅およびアップコンバート等の送信処理を行ってアンテナ２０１から基地局１００（図１）へ送信する。【００５５】
次に、ＣＣＥ割当部１０４におけるＣＣＥ割当方法１〜４の詳細について説明する。【００５６】
＜割当方法１（図３）＞
本割当方法では、ＰＤＣＣＨを、ＣＣＥアグリゲーションサイズがより大きいほどより多いＵＥグループに共有される複数のサーチスペースのうち、そのＰＤＣＣＨのＣＣＥアグリゲーションサイズとそのＰＤＣＣＨの移動局グループとに対応する特定のサーチスペースに割り当てる。【００５７】
具体的には、ＣＣＥアグリゲーションサイズが１の場合、図３に示すように、ＵＥグループ＃１のサーチスペースがＣＣＥ＃０〜ＣＣＥ＃７の８個のＣＣＥで構成され、ＵＥグループ＃２のサーチスペースがＣＣＥ＃８〜ＣＣＥ＃１５の８個のＣＣＥで構成され、ＵＥグループ＃３のサーチスペースがＣＣＥ＃１６〜ＣＣＥ＃２３の８個のＣＣＥで構成され、ＵＥグループ＃４のサーチスペースがＣＣＥ＃２４〜ＣＣＥ＃３１の８個のＣＣＥで構成される。【００５８】
また、ＣＣＥアグリゲーションサイズが２の場合、図３に示すように、ＵＥグループ＃１，＃２のサーチスペースがＣＣＥ＃０〜ＣＣＥ＃１５の１６個のＣＣＥで構成され、ＵＥグループ＃３，＃４のサーチスペースがＣＣＥ＃１６〜ＣＣＥ＃３１の１６個のＣＣＥで構成される。【００５９】
また、ＣＣＥアグリゲーションサイズが４および８場合、図３に示すように、ＵＥグループ＃１〜＃４のサーチスペースがＣＣＥ＃０〜ＣＣＥ＃３１の３２個のＣＣＥ、つまり、全ＣＣＥで構成される。【００６０】
ＣＣＥアグリゲーションサイズがより大きいほど、１つのサーチスペースを共有するＵＥグループの数がより多くなる。具体的には、ＣＣＥ＃０に着目すると、ＣＣＥ＃０は、ＣＣＥアグリゲーションサイズが１の場合、ＵＥグループ＃１のみに使用され、ＣＣＥアグリゲーションサイズが２の場合、ＵＥグループ＃１およびＵＥグループ＃２の２つのＵＥグループに使用され、ＣＣＥアグリゲーションサイズが４，８の場合、すべてのＵＥグループ＃１〜＃４に使用される。また、ＣＣＥアグリゲーションサイズが最大の８の場合、サーチスペースがすべてのＵＥグループに共有され、ＣＣＥアグリゲージョンサイズが最小の１の場合、各ＵＥグループのサーチスペースがＵＥグループ毎に異なる。【００６１】
また、ＣＣＥアグリゲーションサイズがより大きいほど、各ＵＥグループに対応するサーチスペースはより大きくなる。具体的には、ＵＥグループ＃１に着目すると、ＵＥグループ＃１のサーチスペースは、ＣＣＥアグリゲーションサイズが１の場合、８個のＣＣＥで構成され、ＣＣＥアグリゲーションサイズが２の場合、１６個のＣＣＥで構成され、ＣＣＥアグリゲーションサイズが４，８の場合、３２個のＣＣＥで構成される。【００６２】
よって、図３に示すように、ＣＣＥ割当部１０４は、ＵＥグループ＃１の移動局に対して、ＣＣＥ＃０〜ＣＣＥ＃７のサーチスペースに、ＣＣＥアグリゲーションサイズが１のＰＤＣＣＨを最大８個割り当てることができ、ＣＣＥ＃０〜ＣＣＥ＃１５のサーチスペースに、ＣＣＥアグリゲーションサイズが２のＰＤＣＣＨを最大８個割り当てることができる。同様に、ＣＣＥ割当部１０４は、ＣＣＥ＃０〜ＣＣＥ＃３１のサーチスペースに、ＣＣＥアグリゲーションサイズが４のＰＤＣＣＨを最大８個割り当てることができ、ＣＣＥアグリゲーションサイズが８のＰＤＣＣＨを最大４個割り当てることができる。【００６３】
これにより、ＣＣＥ割当部１０４では、ＣＣＥアグリゲーションサイズがより大きいＰＤＣＣＨを割り当てる移動局に対する割当制限がより緩くなる。例えば、ＣＣＥ割当部１０４が、ＵＥグループ＃１のＣＣＥアグリゲーションサイズが１のＰＤＣＣＨ、および、ＣＣＥアグリゲーションサイズが８のＰＤＣＣＨを割り当てる場合について説明する。また、ここでは、ＵＥグループ＃２のＣＣＥアグリゲーションサイズが１のＰＤＣＣＨを割り当てられた移動局が存在しないものとする。【００６４】
ＣＣＥ割当部１０４は、ＰＤＣＣＨをＣＣＥに割り当てる際、ＣＣＥアグリゲーションサイズがより小さい１のＰＤＣＣＨと同一のＣＣＥへの割当を避けてＣＣＥアグリゲーションサイズが８のＰＤＣＣＨを割り当てる。具体的には、ＣＣＥ割当部１０４は、ＣＣＥアグリゲーションサイズが１のＵＥグループ＃１のサーチスペースであるＣＣＥ＃０〜ＣＣＥ＃７を避けてＣＣＥアグリゲーションサイズが８のＰＤＣＣＨを割り当てる。ここで、ＵＥグループ＃２のＣＣＥアグリゲーションサイズが１のＰＤＣＣＨ（サーチスペース：ＣＣＥ＃８〜ＣＣＥ＃１５）を割り当てられた移動局が存在しないので、ＣＣＥ割当部１０４は、ＣＣＥアグリゲーションサイズが８のＰＤＣＣＨをＣＣＥ＃８〜ＣＣＥ＃１５に割り当てる。そして、ＣＣＥ割当部１０４は、ＵＥグループ＃１のＣＣＥアグリゲーションサイズが１のＰＤＣＣＨをＣＣＥ＃０〜ＣＣＥ＃７のいずれか１つのＣＣＥに割り当てる。【００６５】
このように、基地局１００では、ＣＣＥアグリゲーションサイズがより大きいほど、より多くのＵＥグループでサーチスペースを共有する。このため、ＣＣＥアグリゲーションサイズがより大きいほど、より広い範囲のＣＣＥにＰＤＣＣＨを割り当てることができる。これにより、同一ＵＥグループで互いに異なるＣＣＥアグリゲーションサイズのＰＤＣＣＨを割り当てる場合でも、ＣＣＥアグリゲーションサイズがより大きいＰＤＣＣＨのＣＣＥ割当を調整することで、基地局１００は、リソース割当を制限されることなく双方のＰＤＣＣＨを割り当てることができる。【００６６】
一方、移動局２００は、ＣＣＥアグリゲーションサイズおよび移動局グループ情報に基づいてＰＤＣＣＨの復調、復号、および、ブラインド判定を行う。例えば、ＵＥグループ＃１に属する移動局２００が、ＣＣＥアグリゲーションサイズを１と仮定してブラインド判定を行う場合、抽出部２０７は、図３に示すＣＣＥ＃０〜ＣＣＥ＃３１のうち、ＣＣＥ＃０〜ＣＣＥ＃７に対応する信号のみを復調部２０８に出力する。すなわち、復調部２０８、復号部２０９および判定部２１０では、ＣＣＥアグリゲーションサイズを１とした場合のブラインド判定の対象は、ＣＣＥ＃０〜ＣＣＥ＃７に対応するサーチスペースに限定される。同様に、ＣＣＥアグリゲーションサイズが２としてブラインド判定する場合も、抽出部２０７は、図３に示すＣＣＥ＃０〜ＣＣＥ＃３１のうち、ＣＣＥ＃０〜ＣＣＥ＃１５に対応する信号のみを復調部２０８に出力する。また、ＣＣＥアグリゲーションサイズを４および８と仮定する場合および８と仮定する場合、抽出部２０７は、図３に示すＣＣＥ＃０〜ＣＣＥ＃３１に対応する信号、つまり、すべてのＣＣＥに対応する信号を復調部２０８に出力する。【００６７】
ここで、ＣＣＥアグリゲーションサイズが１の場合、ＵＥグループ＃１〜＃４の各ＵＥグループの８個のＣＣＥに割り当てられるＰＤＣＣＨの数は８個である。また、ＣＣＥアグリゲーションサイズが２の場合、ＵＥグループ＃１，＃２およびＵＥグループ＃３，＃４の各グループの１６個のＣＣＥに割り当てられるＰＤＣＣＨの数は８個である。一方、ＣＣＥ＃０〜ＣＣＥ＃３１に割り当てられるＰＤＣＣＨの数は、ＣＣＥアグリゲーションサイズが４の場合は８個であり、ＣＣＥアグリゲーションサイズが８の場合は４個である。つまり、ＣＣＥアグリゲーションサイズが４および８の場合にＣＣＥ＃０〜ＣＣＥ＃３１のすべてのＣＣＥでサーチスペースを構成する場合でも、ＣＣＥアグリゲーションサイズが１および２の場合と比較して、ブラインド判定の対象となるＰＤＣＣＨの数は増加しない。【００６８】
また、ＣＣＥアグリゲーションサイズは移動局のセル内の位置または受信品質に基づいて決定される。このため、受信するＰＤＣＣＨのＣＣＥアグリゲーションサイズを移動局毎に限定することによるＣＣＥ割当の自由度低下がシステム性能に与える影響は極めて小さい。【００６９】
また、ＵＥグループ毎のサーチスペースが連続したＣＣＥにより構成されるため、サーチスペースを基地局から移動局へ通知する際、基地局は、先頭のＣＣＥ番号および末尾のＣＣＥ番号のみを通知するだけでよく、通知情報量を少なく抑えることができる。【００７０】
このように、本割当例によれば、ＰＤＣＣＨを、ＣＣＥアグリゲーションサイズがより大きいほど、より多くのＵＥグループに共有される複数のサーチスペースのいずれかに割り当てる。これにより、基地局は、より大きいＣＣＥアグリゲーションサイズのＰＤＣＣＨを、より小さいＣＣＥアグリゲーションサイズのＰＤＣＣＨが使用するＣＣＥと重複しないように割り当てることができる。よって、本割当方法によれば、ブラインド復号の回数が増加することなく、ＵＥグループ内でリソース割当が制限されることを防ぐことができる。【００７１】
＜割当方法２（図４）＞
割当方法１の図３に示すサーチスペースでは、あるＵＥグループのＣＣＥアグリゲーションサイズが８のＰＤＣＣＨが１つでも使用されると、ＵＥグループ＃１〜＃４のＣＣＥアグリゲーションサイズが１のＰＤＣＣＨのいずれかが使用できなくなってしまう。【００７２】
例えば、図３に示すサーチスペースにおいて、ＣＣＥアグリゲーションサイズが８のＰＤＣＣＨがＣＣＥ＃０〜ＣＣＥ＃７で使用されたとする。ここで、図３に示すように、ＵＥグループ＃１のＣＣＥアグリゲーションサイズが１のＰＤＣＣＨは、ＣＣＥ＃０〜ＣＣＥ＃７のいずれか１つのＣＣＥに割り当てられる。しかし、ＣＣＥ＃０〜ＣＣＥ＃７が、ＣＣＥアグリゲーションサイズが８のＰＤＣＣＨで既に使用されているため、基地局では、ＵＥグループ＃１のＣＣＥアグリゲーションサイズが１のＰＤＣＣＨを割り当てることができなくなる。また、ＣＣＥアグリゲーションサイズが８のＰＤＣＣＨが、ＣＣＥ＃８〜ＣＣＥ１５，ＣＣＥ＃１６〜ＣＣＥ２３，ＣＣＥ＃２４〜ＣＣＥ３１のいずれかに割り当てられる場合も同様にして、ＵＥグループ＃２〜＃３のＣＣＥアグリゲーションサイズが１のＰＤＣＣＨのいずれかが使用できなくなる。【００７３】
そこで、本割当方法におけるＣＣＥ割当部１０４は、ＰＤＣＣＨを、そのＰＤＣＣＨのＣＣＥアグリゲーションサイズより大きいＣＣＥアグリゲーションサイズの複数のＰＤＣＣＨそれぞれが占有するＣＣＥで構成される特定のサーチスペースに割り当てる。【００７４】
具体的には、ＣＣＥアグリゲーションサイズが１の場合、図４に示すように、ＵＥグループ＃１のサーチスペースがＣＣＥ＃０〜ＣＣＥ＃３およびＣＣＥ＃１６〜ＣＣＥ＃１９の８個のＣＣＥで構成され、ＵＥグループ＃２のサーチスペースがＣＣＥ＃４〜ＣＣＥ＃７およびＣＣＥ＃２０〜ＣＣＥ＃２３の８個のＣＣＥで構成される。同様に、ＵＥグループ＃３のサーチスペースがＣＣＥ＃８〜ＣＣＥ＃１１およびＣＣＥ＃２４〜ＣＣＥ＃２７の８個のＣＣＥで構成され、ＵＥグループ＃４のサーチスペースがＣＣＥ＃１２〜ＣＣＥ＃１５およびＣＣＥ＃２８〜ＣＣＥ＃３１の８個のＣＣＥで構成される。【００７５】
また、ＣＣＥアグリゲーションサイズが２，４および８のサーチスペースは、図４に示すように、割当方法１（図３）と同様にして構成される。【００７６】
すなわち、ＵＥグループ＃１〜＃４のＣＣＥアグリゲーションサイズが１のサーチスペースは、ＣＣＥアグリゲーションサイズが８のＰＤＣＣＨが割り当てられる４個のＰＤＣＣＨ単位（ＣＣＥ＃０〜ＣＣＥ＃７，ＣＣＥ＃８〜ＣＣＥ１５，ＣＣＥ＃１６〜ＣＣＥ２３，ＣＣＥ＃２４〜ＣＣＥ３１）のうち、２つの異なるＰＤＣＣＨ単位に分散して配置される。例えば、ＵＥグループ＃１のＣＣＥアグリゲーションサイズが１のサーチスペース（ＣＣＥ＃０〜ＣＣＥ＃３、ＣＣＥ＃１６〜ＣＣＥ＃１９）は、ＣＣＥアグリゲーションサイズが８のＰＤＣＣＨ（ＣＣＥ＃０〜ＣＣＥ＃７）およびＰＤＣＣＨ（ＣＣＥ＃１６〜ＣＣＥ＃２３）の２つの異なるＰＤＣＣＨに含まれるＣＣＥで構成される。【００７７】
これにより、ＣＣＥアグリゲーションサイズが８のＰＤＣＣＨがＣＣＥ＃０〜ＣＣＥ＃３１のいずれに割り当てられる場合でも、分散配置された一方のサーチスペースが使用できなくても、他方のサーチスペースにＰＤＣＣＨを割り当てることが可能となる。【００７８】
例えば、図４に示すサーチスペースにおいて、ＣＣＥ割当部１０４が、いずれかのＵＥグループのＣＣＥアグリゲーションサイズが８のＰＤＣＣＨをＣＣＥ＃０〜ＣＣＥ＃７に割り当てたとする。ここで、ＵＥグループ＃１のＣＣＥアグリゲーションサイズが１のＰＤＣＣＨがさらに割り当てられる場合、ＣＣＥ割当部１０４は、図４に示すように、ＣＣＥ＃０〜ＣＣＥ＃７が既に使用されているため、ＵＥグループ＃１のＣＣＥアグリゲーションサイズが１のサーチスペースであるＣＣＥ＃０〜ＣＣＥ＃３に割り当てることができない。しかし、ＵＥグループ＃１のＣＣＥアグリゲーションサイズが１の他方のサーチスペースであるＣＣＥ＃１６〜ＣＣＥ＃１９は使用されていないため、ＣＣＥ割当部１０４は、ＵＥグループ＃１のＣＣＥアグリゲーションサイズが１のＰＤＣＣＨをＣＣＥ＃１６〜ＣＣＥ＃１９のいずれか１つに割り当てることができる。【００７９】
このようにして、本割当方法によれば、ＰＤＣＣＨを、そのＰＤＣＣＨのＣＣＥアグリゲーションサイズより大きいＣＣＥアグリゲーションサイズの複数のＰＤＣＣＨそれぞれに占有されるＣＣＥで構成される特定のサーチスペースに割り当てる。すなわち、基地局は、ＰＤＣＣＨを、異なるＣＣＥに分散配置された特定のサーチスペースに割り当てる。これにより、異なるＣＣＥアグリゲーションサイズのＰＤＣＣＨが同時に使用される場合でも、より小さいＣＣＥアグリゲーションサイズのＰＤＣＣＨは、分散配置されたＣＣＥのいずれかを使用することができる。よって、本割当方法によれば、ＵＥグループ内でリソース割当が制限されることをさらに防ぐことができる。【００８０】
なお、本割当方法では、図５に示すように、各ＵＥグループにおいて、より小さいＣＣＥアグリゲーションサイズのサーチスペースが、ＣＣＥアグリゲーションサイズがより大きいＰＤＣＣＨ単位に均等に含まれるようにしてもよい。具体的には、図５に示すように、ＵＥグループ＃１〜＃４のＣＣＥアグリゲーションサイズが１のサーチスペースが、ＣＣＥアグリゲーションサイズが８のＰＤＣＣＨ単位（ＣＣＥ＃０〜ＣＣＥ＃７，ＣＣＥ＃８〜ＣＣＥ１５，ＣＣＥ＃１６〜ＣＣＥ２３，ＣＣＥ＃２４〜ＣＣＥ３１）のそれぞれに２つずつ含まれる。同様にして、ＵＥグループ＃１，＃２およびＵＥグループ＃３，＃４のＣＣＥアグリゲーションサイズが２のサーチスペースが、ＣＣＥアグリゲーションサイズが８のＰＤＣＣＨ単位のそれぞれに２つずつ含まれる。つまり、ＣＣＥアグリゲーションサイズが８である４個のＰＤＣＣＨ単位に、ＣＣＥアグリゲーションサイズが１および２の各ＵＥグループのサーチスペースが分散して配置される。これにより、ＣＣＥアグリゲーションサイズがより大きいＰＤＣＣＨがいずれのＣＣＥに割り当てられる場合でも、本割当方法と同様、ＣＣＥアグリゲーションサイズがより小さいＰＤＣＣＨを、リソース割当制限されることなく、ＣＣＥ＃０〜ＣＣＥ＃３１のいずれかで割り当てることが可能となる。【００８１】
＜割当方法３（図６）＞
本割当方法では、各移動局が複数のＣＣＥアグリゲーションサイズのサーチスペースをブラインド復号する場合について説明する。例えば、セル中心付近に位置する移動局は、ＣＣＥアグリゲーションサイズが１および２のサーチスペースをブラインド復号する。また、セルエッジ付近に位置する移動局は、ＣＣＥアグリゲーションサイズが４および８のサーチスペースをブラインド復号する。また、セル中心とセルエッジとの間に位置する移動局は、ＣＣＥアグリゲーションサイズが２および４のサーチスペースをブラインド復号する。【００８２】
このとき、割当方法１の図３に示すサーチスペースでは、同一ＵＥグループで、複数の異なるＣＣＥアグリゲーションサイズのＰＤＣＣＨが使用されると、ＣＣＥアグリゲーションサイズが１または２のＰＤＣＣＨの使用が制限されてしまうことがある。【００８３】
例えば、図３に示すサーチスペースにおいて、ＵＥグループ＃１のＣＣＥアグリゲーションサイズが８のＰＤＣＣＨ（ＣＣＥ＃０〜ＣＣＥ＃７）が使用されたとする。ここで、図３に示すように、ＣＣＥアグリゲーションサイズが１の場合、ＵＥグループ＃１のサーチスペースは、ＣＣＥ＃０〜ＣＣＥ＃７で構成され、ＣＣＥアグリゲーションサイズが２の場合、ＵＥグループ＃１のサーチスペース（ＵＥグループ＃２と共有）は、ＣＣＥ＃０〜ＣＣＥ＃１５で構成される。つまり、ＣＣＥアグリゲーションサイズが１および２のサーチスペースは、ＣＣＥ＃０〜ＣＣＥ＃７で重複して構成される。よって、ＣＣＥ＃０〜ＣＣＥ＃７のすべてのＣＣＥが、ＣＣＥアグリゲーションサイズが８のＰＤＣＣＨで既に使用されているため、基地局では、ＵＥグループ＃１のＣＣＥアグリゲーションサイズが１のＰＤＣＣＨを割り当てられなくなり、かつ、ＵＥグループ＃１のＣＣＥアグリゲーションサイズが２のＰＤＣＣＨをＣＣＥ＃８〜ＣＣＥ＃１５のみしか割り当てられなくなる。【００８４】
そこで、本割当方法におけるＣＣＥ割当部１０４は、ＰＤＣＣＨを、同一ＵＥグループ内の、互いに異なるＣＣＥアグリゲーションサイズの、互いに異なるＣＣＥで構成される複数のサーチスペースのうちの特定のサーチスペースに割り当てる。【００８５】
具体的には、ＣＣＥアグリゲーションサイズが１の場合、図６に示すように、ＵＥグループ＃１のサーチスペースがＣＣＥ＃１６〜ＣＣＥ＃２３の８個のＣＣＥで構成され、ＵＥグループ＃２のサーチスペースがＣＣＥ＃２４〜ＣＣＥ＃３１の８個のＣＣＥで構成される。また、ＵＥグループ＃３のサーチスペースがＣＣＥ＃０〜ＣＣＥ＃７の８個のＣＣＥで構成され、ＵＥグループ＃４のサーチスペースがＣＣＥ＃８〜ＣＣＥ＃１５の８個のＣＣＥで構成される。【００８６】
また、ＣＣＥアグリゲーションサイズが２，４および８のサーチスペースは、図６に示すように、割当方法１（図３）と同様にして構成される。【００８７】
すなわち、同一ＵＥグループにおいて、各ＵＥグループのＣＣＥアグリゲーションサイズが１のサーチスペースは、ＣＣＥアグリゲーションサイズが２のサーチスペースと異なるＣＣＥで構成される。例えば、ＵＥグループ＃１のＣＣＥアグリゲーションサイズが１のサーチスペース（ＣＣＥ＃１６〜ＣＣＥ＃２３）およびＵＥグループ＃２のＣＣＥアグリゲーションサイズが１のサーチスペース（ＣＣＥ＃２４〜ＣＣＥ＃３１）は、ＵＥグループ＃１、＃２のＣＣＥアグリゲーションサイズが２のサーチスペース（ＣＣＥ＃０〜ＣＣＥ＃１５）と異なるＣＣＥで構成されている。ＵＥグループ＃３およびＵＥグループ＃４についても同様である。【００８８】
これにより、ＣＣＥアグリゲーションサイズが１および２のサーチスペースを構成するＣＣＥの選択範囲が割当方法１（図３）より広くなるため、ＣＣＥアグリゲーションサイズが１および２のＰＤＣＣＨが割り当てられる移動局（セル中心付近の移動局）へのリソース割当がより柔軟になる。例えば、ＣＣＥアグリゲーションサイズが８のＰＤＣＣＨ（セルエッジ付近の移動局宛てのＰＤＣＣＨ）がＣＣＥ＃０〜ＣＣＥ＃７に割り当てられているとする。このとき、ＣＣＥ割当部１０４は、ＵＥグループ＃１のＣＣＥアグリゲーションサイズが１または２のＰＤＣＣＨ（セル中心付近の移動局宛てのＰＤＣＣＨ）を、ＣＣＥ＃０〜ＣＣＥ＃７に割り当てることができない。しかし、ＣＣＥ割当部１０４は、ＣＣＥ＃８〜ＣＣＥ＃１５にＣＣＥアグリゲーションサイズが２のＰＤＣＣＨを割り当てることができ、ＣＣＥ＃１６〜ＣＣＥ＃２３にＣＣＥアグリゲーションサイズが１のＰＤＣＣＨを割り当てることができる。つまり、本割当方法によれば、ＣＣＥ割当部１０４は、より小さいＣＣＥアグリゲーションサイズのサーチスペースを重複しないＣＣＥで構成することで、ＣＣＥアグリゲーションサイズがより小さい１および２のＰＤＣＣＨを、柔軟に割り当てることができる。【００８９】
このようにして、本割当方法では、ＰＤＣＣＨを、同一ＵＥグループ内の、互いに異なるＣＣＥアグリゲーションサイズの、互いに異なるＣＣＥで構成される複数のサーチスペースのうちの特定のサーチスペースに割り当てる。これにより、より小さいＣＣＥアグリゲーションサイズのサーチスペースの選択幅が割当方法１よりも広くなる。このため、より大きいＣＣＥアグリゲーションサイズのＰＤＣＣＨが使用される場合でも、より小さいＣＣＥアグリゲーションサイズのＰＤＣＣＨを柔軟に割り当てることができる。よって、本割当方法によれば、各移動局が複数のＣＣＥアグリゲーションサイズのサーチスペースをブラインド復号する場合でも、ＵＥグループ内のリソース割当の制限されることを防ぐことができる。【００９０】
＜割当方法４（図７）＞
上り回線のリソース割当に用いたＣＣＥ番号と応答信号を伝送するＰＵＣＣＨ番号とを対応付ける際、移動局では、自局宛の割当情報が配置されているＰＤＣＣＨを構成する１つまたは複数のＣＣＥのうち最小番号のＣＣＥに対応するＰＵＣＣＨを自局用のＰＵＣＣＨと判定する。よって、すべてのＣＣＥ（例えば、ＣＣＥ＃０〜ＣＣＥ＃３１）に対してＰＵＣＣＨが１対１で対応付けられる場合、リソース使用量が膨大となってしまう。【００９１】
そこで、本割当方法に係るＣＣＥ割当部１０４は、ＰＤＣＣＨを、ＣＣＥアグリゲーションサイズがより小さいほど、より少ないＣＣＥで構成される複数のサーチスペースのうちの特定のサーチスペースに割り当てる。【００９２】
具体的には、ＣＣＥアグリゲーションサイズが１の場合、図７に示すように、ＵＥグループ＃１,＃２のサーチスペースがＣＣＥ＃１６〜ＣＣＥ＃２３の８個のＣＣＥで構成され、ＵＥグループ＃３，＃４のサーチスペースがＣＣＥ＃２４〜ＣＣＥ＃３１の８個のＣＣＥで構成される。また、ＣＣＥアグリゲーションサイズが２の場合、ＵＥグループ＃１〜＃４のサーチスペースがＣＣＥ＃１６〜ＣＣＥ＃３１の１６個のＣＣＥで構成される。また、ＣＣＥアグリゲーションサイズが４および８のサーチスペースは、図７に示すように、割当方法１（図３）と同様にして構成される。【００９３】
すなわち、ＣＣＥアグリゲーションサイズがより小さい１または２の場合、ＵＥグループ＃１〜＃４のサーチスペースは、ＣＣＥ＃０〜ＣＣＥ＃３１の３２個のＣＣＥのうち、半数の１６個のＣＣＥで構成される。つまり、図７に示すように、ＣＣＥ＃０〜ＣＣＥ＃１５は、ＣＣＥアグリゲーションサイズが１および２の場合には使用されない。【００９４】
よって、図７に示すＣＣＥ＃０〜ＣＣＥ＃１５は、ＣＣＥアグリゲーションサイズが４および８のＰＤＣＣＨのみにしか使用されない。そこで、ＣＣＥ割当部１０４は、ＣＣＥアグリゲーションサイズが４または８のＰＤＣＣＨを割り当てる際、ＣＣＥ＃０〜ＣＣＥ＃１５を優先的に使用する。これにより、ＣＣＥ割当部１０４は、ＣＣＥアグリゲーションサイズが１および２のＰＤＣＣＨを、リソース割当制限を受けることなく、ＣＣＥ＃１６〜ＣＣＥ＃３１の各サーチスペースに割り当てることができる。【００９５】
また、図７に示すサーチスペースのＣＣＥ＃０〜ＣＣＥ＃１５では、ＣＣＥアグリゲーションサイズが１および２のＰＤＣＣＨは使用されないため、ＣＣＥアグリゲーションサイズが４および８のＰＤＣＣＨを構成するＣＣＥのうち最小番号のＣＣＥに対応するＰＵＣＣＨのみのリソースが確保される。つまり、図７に示すように、ＣＣＥ＃０，ＣＣＥ＃４，ＣＣＥ＃８，ＣＣＥ＃１２の４個のＣＣＥにそれぞれ対応付けられた４個のＰＵＣＣＨのリソースが確保される。よって、ＣＣＥ＃０〜ＣＣＥ＃１５の１５個のＣＣＥに対して、４個のＣＣＥに対応するＰＵＣＣＨのリソースのみ確保すればよい。また、ＣＣＥ＃１６〜ＣＣＥ＃３１では、ＣＣＥアグリゲーションサイズが１および２のＰＤＣＣＨが使用されるため、ＣＣＥ＃１６〜ＣＣＥ＃３１の１６個のＣＣＥにそれぞれ対応付けられた１６個のＰＵＣＣＨのリソースが確保される。このように、より小さいＣＣＥアグリゲーションサイズのサーチスペースを構成するＣＣＥの数を制限することで、ＣＣＥに対応付けられたＰＵＣＣＨに確保するリソース量を削減することができる。【００９６】
このようにして、本割当方法によれば、割当方法１と同様、より小さいＣＣＥアグリゲーションサイズのＰＤＣＣＨを、リソース割当制限を受けることなくＣＣＥに割り当てることができ、さらに、ＣＣＥに対応付けられたＰＵＣＣＨに確保するリソース量を削減することができる。【００９７】
なお、本割当方法では、サーチスペースの定義をトラフィック量に応じてsemi-staticに切り替えてもよい。例えば、トラフィック量が少ない場合には、本割当例のサーチスペースの定義（図７）を用いて、トラフィック量が多い場合には、例えば、割当方法３のサーチスペースの定義（図６）を用いてもよい。これにより、ＣＣＥに対応するＰＵＣＣＨのリソース量を無駄なく確保することができる。【００９８】
また、本割当方法では、ＣＣＥアグリゲーションサイズが１および２のサーチスペースを、ＣＣＥ＃１６〜ＣＣＥ＃３１で構成する場合について説明した。しかし、本割当方法では、ＣＣＥアグリゲーションサイズが１および２のサーチスペースを、ＣＣＥ＃０〜ＣＣＥ＃１５で構成してもよい。【００９９】
また、本割当方法では、ＣＣＥとＰＵＣＣＨ（下り回線データに対する応答信号）とを対応付ける場合について説明したが、本発明は、ＣＣＥとＰＨＩＣＨ（Physical Hybrid ARQ Indicator Channel）とを対応付けても上記同様の効果を得ることができる。ここで、ＰＨＩＣＨには上り回線データに対する応答信号が割り当てられる。【０１００】
また、本割当方法の説明で用いたＰＵＣＣＨは、ＡＣＫまたはＮＡＣＫをフィードバックするためのチャネルであるため、ＡＣＫ／ＮＡＣＫチャネルと称されることもある。【０１０１】
また、本発明は、応答信号以外の制御情報をフィードバックする場合にも上記同様にして実施可能である。【０１０２】
以上、本実施の形態に係るＰＤＣＣＨの割当方法１〜４について説明した。【０１０３】
このように、本実施の形態によれば、より大きいＣＣＥアグリゲーションサイズのＰＤＣＣＨは、より小さいＣＣＥアグリゲーションサイズのＰＤＣＣＨに割り当てられるＣＣＥと重複しないようにしてＣＣＥを柔軟に用いることができる。よって、本実施の形態によれば、ＵＥグループ内でリソース割当が制限されることを防ぐことができる。【０１０４】
なお、本実施の形態では、上述した割当方法１〜４を組み合わせてサーチスペースを構成してもよい。例えば、割当方法２と割当方法３とを組み合わせたサーチスペースを図８に示す。ここでは、図８に示すように、ＣＣＥアグリゲーションサイズが４の場合において、ＵＥグループ＃１，＃２のサーチスペースがＣＣＥ＃０〜ＣＣＥ＃１５で構成され、ＵＥグループ＃３，＃４のサーチスペースがＣＣＥ＃１６〜ＣＣＥ＃３１で構成される。その際、割当方法２と同様にして、各ＵＥグループのＣＣＥアグリゲーションサイズが２のサーチスペースは、ＣＣＥアグリゲーションサイズが４の２個のサーチスペース双方に含まれるように分散配置される。また、ＣＣＥアグリゲーションサイズが１のサーチスペースも、割当方法２と同様にして、より大きいＣＣＥアグリゲーションサイズの互いに異なるＰＤＣＣＨが占有するＣＣＥに分散配置される。さらに、ＣＣＥアグリゲーションサイズが１の一部のサーチスペースは、割当方法３と同様にして、同一ＵＥグループの異なるＣＣＥアグリゲーションサイズのサーチスペースと異なるＣＣＥで構成される。例えば、ＵＥグループ＃１のＣＣＥアグリゲーションサイズが１の一方のサーチスペース（ＣＣＥ＃０〜ＣＣＥ＃３）は、ＣＣＥアグリゲーションサイズが２のサーチスペース（ＣＣＥ＃０〜ＣＣＥ＃８）と重複する。しかし、他方のサーチスペース（ＣＣＥ＃２４〜ＣＣＥ＃２７）は、ＣＣＥアグリゲーションサイズが２のサーチスペース（ＣＣＥ＃０〜ＣＣＥ＃８、ＣＣＥ＃１６〜ＣＣＥ＃２３）のいずれとも重複しない。これにより、本実施の形態の割当方法２および割当方法３と同様の効果を得ることができる。【０１０５】
（実施の形態２）
本実施の形態では、各ＵＥグループの互いに異なるＣＣＥアグリゲーションサイズのサーチスペースが互いに異なるＣＣＥで構成される。【０１０６】
以下の説明では、ＵＥグループ＃１〜＃４の各ＣＣＥアグリゲーションサイズのサーチスペースは、８個のＣＣＥで構成される。具体的には、図９に示すように、ＵＥグループ＃１において、ＣＣＥアグリゲーションサイズが１のサーチスペースがＣＣＥ＃２４〜ＣＣＥ＃３１の８個のＣＣＥで構成され、ＣＣＥアグリゲーションサイズが２のサーチスペースがＣＣＥ＃１６〜ＣＣＥ＃２３の８個のＣＣＥで構成され、ＣＣＥアグリゲーションサイズが４のサーチスペースがＣＣＥ＃８〜ＣＣＥ＃１５の８個のＣＣＥで構成され、ＣＣＥアグリゲーションサイズが８のサーチスペースがＣＣＥ＃０〜ＣＣＥ＃７の８個のＣＣＥで構成される。図９に示すように、ＵＥグループ＃２〜＃４についても同様である。【０１０７】
すなわち、図９に示すように、各ＵＥグループのＣＣＥアグリゲーションサイズが１，２，４，８のサーチスペースは、ＣＣＥ＃０〜ＣＣＥ＃３１の全体に渡って、それぞれが互いに異なるＣＣＥで構成される。これにより、より大きいＣＣＥアグリゲーションサイズのＰＤＣＣＨ（例えば、ＣＣＥアグリゲーションサイズが８のＰＤＣＣＨ）が使用される場合でも、ＣＣＥ割当部１０４は、より小さいＣＣＥアグリゲーションサイズのＰＤＣＣＨを確実に割り当てることができる。すなわち、同一ＵＥグループにおいて、より大きいＣＣＥアグリゲーションサイズのＰＤＣＣＨが使用される場合でも、より小さいＣＣＥアグリゲーションサイズのＰＤＣＣＨが割当不可能になることはない。また、実施の形態１の割当方法３と同様、互いに異なるＣＣＥアグリゲーションサイズのサーチスペースは互いに異なるＣＣＥで構成される。このため、各移動局が複数のＣＣＥアグリゲーションサイズのサーチスペースをブラインド復号する場合でも、ＣＣＥ割当部１０４は、実施の形態１の割当方法３と同様、使用するＣＣＥが重複することなく、より多くのＣＣＥに対して柔軟にＰＤＣＣＨを割り当てることができる。【０１０８】
このようにして、本実施の形態によれば、同一ＵＥグループの互いに異なるＣＣＥアグリゲーションサイズのサーチスペースが、互いに異なるＣＣＥで構成される。これにより、同一ＵＥグループで異なるＣＣＥアグリゲーションサイズのＰＤＣＣＨが同時に割り当てられる場合でも、より小さいアグリゲーションサイズのＰＤＣＣＨが割り当てられなくなることを防ぐことができる。よって、本実施の形態によれば、実施の形態１と同様、ＵＥグループ内でリソース割当が制限されることを防ぐことができる。【０１０９】
さらに、本実施の形態では、すべてのＣＣＥアグリゲーションサイズのサーチスペースを構成するＣＣＥの数が同一（図９では８個のＣＣＥ）であり、異なるＣＣＥアグリゲーションサイズ毎にパラメータを設定する必要が無い。よって、本実施の形態によれば、システムを簡素化することができる。【０１１０】
なお、図１０に示すように、各ＵＥグループの各ＣＣＥアグリゲーションサイズのサーチスペースを、ＣＣＥ＃０〜ＣＣＥ＃３１に渡って分散配置してもよい。すなわち、図１０に示すように、同一ＵＥグループの異なるＣＣＥアグリゲーションサイズのサーチスペースは、ＣＣＥ＃０〜ＣＣＥ＃３１に渡って分散配置された８個のＣＣＥで構成される。ここで、実施の形態１の割当方法２と同様にして、同一ＵＥグループにおいて、より小さいＣＣＥアグリゲーションサイズのサーチスペースは、より大きいＣＣＥアグリゲーションサイズの互いに異なる複数のサーチスペースそれぞれに含まれるＣＣＥで構成される。これにより、一方のサーチスペースが使用できない場合でも、他方のサーチスペースを使用できるため、リソース割当が制限されることを防止することができる。これにより、本実施の形態と同様の効果を得つつ、実施の形態１の割当方法２と同様の効果を得ることができる。【０１１１】
以上、本発明の各実施の形態について説明した。【０１１２】
なお、移動局は端末局、UE、MT、MS、STA（Station）と称されることもある。また、基地局はNode B、BS、APと称されることもある。また、サブキャリアはトーンと称されることもある。また、ＣＰはガードインターバル（Guard Interval；ＧＩ）と称されることもある。また、ＣＣＥ番号はＣＣＥインデックス（CCE Index）と称されることもある。【０１１３】
また、例えば、報知情報が送信されるＤ−ＢＣＨ（Dynamic-Broadcast Channel）または、ページング情報が送信されるＰＣＨ（Paging Channel）等の制御チャネル送信のためのリソース割当通知に用いられるＰＤＣＣＨは、セル内のすべての移動局、または、複数の移動局が受信する必要がある。よって、これらの制御チャネルは、セルエッジ付近の移動局まで通知する必要があるため、ＣＣＥアグリゲーションサイズが８のＰＤＣＣＨが割り当てられることが考えられる。そこで、本発明を適用することで、Ｄ−ＢＣＨまたはＰＣＨ（ＣＣＥアグリゲーションサイズが８）が使用される場合でも、他のＣＣＥアグリゲーションサイズのＰＤＣＣＨを、リソース割当の制限を受けることなく特定のサーチスペースに割り当てることができる。【０１１４】
また、誤り検出の方法はＣＲＣに限られない。【０１１５】
また、周波数領域と時間領域との間の変換を行う方法は、ＩＦＦＴ、ＦＦＴに限られない。【０１１６】
また、上記実施の形態では、下り回線の伝送方式にＯＦＤＭ、上り回線の伝送方式にＳＣ−ＦＤＭＡを用いて信号を送信する場合について説明したが、本発明は、ＯＦＤＭおよびＳＣ−ＦＤＭＡ以外の伝送方式を用いても適用可能である。【０１１７】
また、上記実施の形態では、本発明をハードウェアで構成する場合を例にとって説明したが、本発明はソフトウェアで実現することも可能である。【０１１８】
また、上記実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。【０１１９】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。【０１２０】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。【０１２１】
２００８年１月４日出願の特願２００８−０００１９６の日本出願に含まれる明細書、図面および要約書の開示内容は、すべて本願に援用される。
【産業上の利用可能性】
【０１２２】
本発明は、移動体通信システム等に適用することができる。
【図１】
2009087742.tif 000003
【図２】
2009087742.tif 000004
【図３】
2009087742.tif 000005
【図４】
2009087742.tif 000006
【図５】
2009087742.tif 000007
【図６】
2009087742.tif 000008
【図７】
2009087742.tif 000009
【図８】
2009087742.tif 000010
【図９】
2009087742.tif 000011
【図１０】
2009087742.tif 000012
【手続補正書】
【提出日】平成22年4月21日(2010.4.21)
【手続補正１】
【補正対象書類名】特許請求の範囲
【補正対象項目名】全文
【補正方法】変更
【補正の内容】
【特許請求の範囲】
【請求項１】
１つまたは複数のＣＣＥを占有する制御チャネルを、制御チャネルのＣＣＥ占有数がより多いほどより多くのＵＥグループに共有される複数のＣＣＥ領域のうち、前記制御チャネルのＣＣＥ占有数と前記制御チャネルのＵＥグループとに対応する特定のＣＣＥ領域に割り当てる割当手段と、
前記特定のＣＣＥ領域に割り当てられた前記制御チャネルを送信する送信手段と、
を具備する無線通信基地局装置。
【請求項２】
前記割当手段は、前記制御チャネルを、前記ＣＣＥ占有数がより多いほどＣＣＥ領域がより大きい前記複数のＣＣＥ領域のうちの前記特定のＣＣＥ領域に割り当てる、
請求項１記載の無線通信基地局装置。
【請求項３】
前記割当手段は、最多のＣＣＥ占有数に対応するＣＣＥ領域がすべてのＵＥグループに共有され、かつ、最少のＣＣＥ占有数に対応するＣＣＥ領域がＵＥグループ毎に異なる前記複数のＣＣＥ領域のいずれかを用いる、
請求項１記載の無線通信基地局装置。
【請求項４】
前記割当手段は、前記制御チャネルを、前記制御チャネルのＣＣＥ占有数より多いＣＣＥ占有数の複数の制御チャネルそれぞれが占有するＣＣＥで構成される前記特定のＣＣＥ領域に割り当てる、
請求項１記載の無線通信基地局装置。
【請求項５】
前記割当手段は、前記制御チャネルを、同一ＵＥグループ内の、互いに異なるＣＣＥ占有数の、互いに異なるＣＣＥで構成される前記複数のＣＣＥ領域のうちの前記特定のＣＣＥ領域に割り当てる、
請求項１記載の無線通信基地局装置。
【請求項６】
前記割当手段は、前記制御チャネルを、前記ＣＣＥ占有数がより少ないほどより少ないＣＣＥで構成される前記複数のＣＣＥ領域のうちの前記特定のＣＣＥ領域に割り当てる、
請求項１記載の無線通信基地局装置。
【請求項７】
１つまたは複数のＣＣＥを占有する制御チャネルであって、制御チャネルのＣＣＥ占有数がより多いほどより多くのＵＥグループに共有される複数のＣＣＥ領域のうち、前記制御チャネルのＣＣＥ占有数と前記制御チャネルのＵＥグループとに対応する特定のＣＣＥ領域に割り当てられた前記制御チャネルを受信する受信手段と、
前記制御チャネルを自局宛ての制御チャネルであるか否か判定する判定手段と、
を具備する無線通信移動局装置。
【請求項８】
１つまたは複数のＣＣＥを占有する制御チャネルを、制御チャネルのＣＣＥ占有数がより多いほどより多くのＵＥグループに共有される複数のＣＣＥ領域のうち、前記制御チャネルのＣＣＥ占有数と前記制御チャネルのＵＥグループとに対応する特定のＣＣＥ領域に割り当てる、
制御チャネル割当方法。
【手続補正２】
【補正対象書類名】明細書
【補正対象項目名】全文
【補正方法】変更
【補正の内容】
【発明の詳細な説明】
【技術分野】
【０００１】
本発明は、無線通信基地局装置、無線通信移動局装置および制御チャネル割当方法に関する。
【背景技術】
【０００２】
移動体通信では、無線通信基地局装置（以下、基地局と省略する）は下り回線データおよび上り回線データのリソース割当結果を通知するための制御情報を無線通信移動局装置（以下、移動局と省略する）へ送信する。この制御情報は例えばＰＤＣＣＨ（Physical Downlink Control Channel）等の下り回線制御チャネルを用いて移動局へ送信される。各ＰＤＣＣＨは１つまたは連続する複数のＣＣＥ（Control Channel Element）を占有する。基地局は移動局毎にＰＤＣＣＨを生成し、制御情報が必要とするＣＣＥ数に従ってＰＤＣＣＨに占有すべきＣＣＥを割り当て、割り当てたＣＣＥに対応する物理リソースに制御情報をマッピングして送信する。
【０００３】
例えば、伝搬路品質の劣悪なセル境界付近に位置する移動局に対しては、所望受信品質を満たすために、ＭＣＳ（Modulation and Coding Scheme）レベルが低いＭＣＳを設定する必要がある。そこで、基地局では、より多くのＣＣＥ（例えば８つのＣＣＥ）を占有したＰＤＣＣＨが送信される。一方、伝搬路品質の良好なセル中心付近に位置する移動局に対してはＭＣＳレベルが高いＭＣＳを設定しても所要受信品質を満たすことができる。そのため、基地局では、より少ないＣＣＥ（例えば、１つのＣＣＥ）を占有したＰＤＣＣＨが送信される。ここで、１つのＰＤＣＣＨが占有するＣＣＥの数（ＣＣＥ占有数）をＣＣＥアグリゲーションサイズ（CCE Aggregation size）と呼ぶ。例えば、ＣＣＥアグリゲーションサイズが１，２，４，８の場合、セル中心付近に位置する移動局は、ＣＣＥアグリゲーションサイズが１のＰＤＣＣＨの受信を試み、セルエッジ付近に位置する移動局は、ＣＣＥアグリゲーションサイズが８のＰＤＣＣＨの受信を試みる。
【０００４】
また、基地局は１サブフレームに複数の移動局を割り当てるため、複数のＰＤＣＣＨを同時に送信する。このとき、基地局では、各ＰＤＣＣＨの送信先の移動局を識別するために、送信先の移動局ＩＤ番号でスクランブリングされたＣＲＣビットが制御情報に含まれて送信される。そして、移動局では、ＰＤＣＣＨが配置される可能性があるＣＣＥに対して復号を行い、自局の移動局ＩＤ番号でＣＲＣビットをデスクランブリングした後にＣＲＣ判定を行う。このように、移動局は、受信信号に含まれる複数のＰＤＣＣＨをブラインド復号することにより自局宛てのＰＤＣＣＨを検出する。
【０００５】
ただし、ＣＣＥ総数が多い場合には、移動局でのブラインド復号の回数が多くなる。そこで、移動局でのブラインド復号の回数を削減することを目的として、ブラインド復号の対象となるＣＣＥを、移動局毎に限定する方法が検討されている（非特許文献１参照）。この方法では、複数の移動局をグループ化して、グループ毎にブラインド復号対象となるＣＣＥであるＣＣＥ領域を限定する。例えば、複数の移動局をＵＥグループ＃１〜＃４にグループ化して、ＣＣＥ＃０〜＃３１のうち、ＣＣＥ＃０〜＃７，ＣＣＥ＃８〜＃１５，ＣＣＥ＃１６〜＃２３，ＣＣＥ＃２４〜＃３１の４つのＣＣＥ領域をそれぞれのＵＥグループのブラインド復号対象となるＣＣＥ領域とする。これにより、各ＵＥグループの移動局では、自局に割り当てられたＣＣＥ領域に対してのみ、ブラインド復号を行えばよいため、ブラインド復号の回数を削減することができる。ここで、移動局によるブラインド復号対象となるＣＣＥ領域をサーチスペース（Search Space）と呼ぶ。
【０００６】
また、移動局でのブラインド復号の回数を削減することを目的として、各ＣＣＥアグリゲーションサイズのＰＤＣＣＨが占有するＣＣＥの開始位置を予め限定する方法が検討されている（非特許文献２）。この方法では、例えば、ＣＣＥ＃０〜＃３１において、ＣＣＥアグリゲーションサイズが８の場合、ＰＤＣＣＨが占有するＣＣＥ（８個のＣＣＥ）の開始位置が、ＣＣＥ＃０，ＣＣＥ＃８，ＣＣＥ＃１６，ＣＣＥ＃２４に限定される。これにより、各移動局では、ＣＣＥの開始位置から始まるＣＣＥアグリゲーションサイズのＰＤＣＣＨをブラインド復号すればよいため、ブラインド復号の回数を削減することができる。
【非特許文献１】3GPP RAN WG1 Meeting document, R1-073996, “Search Space definition :Reduced PDCCH blind detection for split PDCCH search space”, Motorola
【非特許文献２】3GPP RAN WG1 #50bis, R1-074317, “Reducing the decoding complexity of the PDCCH”, Nokia
【発明の開示】
【発明が解決しようとする課題】
【０００７】
上記従来技術のように、複数の移動局を複数のＵＥグループにグループ化して、ＵＥグループ毎にサーチスペースを設定する場合、ＵＥグループ内でより大きいＣＣＥアグリゲーションサイズのＰＤＣＣＨが使用されると、他の移動局にＰＤＣＣＨを割り当てることができなくなることがある。例えば、ＣＣＥ＃０〜＃３１のうち、サーチスペースがＣＣＥ＃０〜ＣＣＥ＃７で構成されたＵＥグループにおいて、ＣＣＥアグリゲーションサイズが８のＰＤＣＣＨをある移動局に割り当てると、ＣＣＥ＃０〜＃７をすべて占有するため、他の移動局にＰＤＣＣＨを割り当てられなくなる。このように、ＵＥグループ内での移動局に対するリソース割当が制限されるため、大きな伝送遅延が発生したり、伝搬路品質が良好である移動局に対して制御情報を送信できなくなったりする可能性があり、セルスループットが低下してしまう。
【０００８】
本発明の目的は、ＵＥグループ内でリソース割当が制限されることを防ぐことができる無線通信基地局装置、無線通信移動局装置および制御チャネル割当方法を提供することである。
【課題を解決するための手段】
【０００９】
本発明の無線通信基地局装置は、１つまたは複数のＣＣＥを占有する制御チャネルを、制御チャネルのＣＣＥ占有数がより多いほどより多くのＵＥグループに共有される複数のＣＣＥ領域のうち、前記制御チャネルのＣＣＥ占有数と前記制御チャネルのＵＥグループとに対応する特定のＣＣＥ領域に割り当てる割当手段と、前記特定のＣＣＥ領域に割り当てられた前記制御チャネルを送信する送信手段と、を具備する構成を採る。
【発明の効果】
【００１０】
本発明によれば、ＵＥグループ内でリソース割当が制限されることを防ぐことができる。
【発明を実施するための最良の形態】
【００１１】
以下、本発明の実施の形態について、添付図面を参照して詳細に説明する。以下の説明では、ＰＤＣＣＨが割り当てられるＣＣＥの総数をＣＣＥ＃０〜ＣＣＥ＃３１の３２個とし、ＰＤＣＣＨのＣＣＥアグリゲーションサイズを１，２，４，８とする。また、１つのＰＤＣＣＨが複数のＣＣＥを占有する場合、１つのＰＤＣＣＨは連続する複数のＣＣＥを占有するものとする。
【００１２】
また、各ＣＣＥアグリゲーションサイズにおいて、ＰＤＣＣＨが割り当てられるＣＣＥの開始位置は予め設定されているとする。具体的には、ＣＣＥアグリゲーションサイズが１の場合、ＰＤＣＣＨは、ＣＣＥ＃０〜ＣＣＥ＃３１のいずれかに割り当てられる。また、ＣＣＥアグリゲーションサイズが２の場合、ＰＤＣＣＨは、ＣＣＥ＃０，ＣＣＥ＃２，ＣＣＥ＃４，…，ＣＣＥ＃２８，ＣＣＥ＃３０を開始位置とする２個のＣＣＥに割り当てられる。同様に、ＣＣＥアグリゲーションサイズが４の場合、ＰＤＣＣＨは、ＣＣＥ＃０，ＣＣＥ＃４，ＣＣＥ＃８，ＣＣＥ＃１２，ＣＣＥ＃１６，…，ＣＣＥ＃２４，ＣＣＥ＃２８を開始位置とする４個のＣＣＥに割り当てられ、ＣＣＥアグリゲーションサイズが８の場合、ＰＤＣＣＨは、ＣＣＥ＃０，ＣＣＥ＃８，ＣＣＥ＃１６，ＣＣＥ＃２４を開始位置とする８個のＣＣＥに割り当てられる。
【００１３】
また、以下の説明では、各移動局のセル内の位置に応じて、その移動局が受信すべきＰＤＣＣＨのＣＣＥアグリゲーションサイズが決定される。例えば、セルエッジ付近に位置する移動局は、伝搬路品質が劣悪であるため、より低いＭＣＳで送信する割合が高くなる。よって、セルエッジ付近に位置する移動局のＣＣＥアグリゲーションサイズを４または８に限定する。一方、セル中心に位置する移動局は、伝搬路品質が良好であるため、より高いＭＣＳで送信する割合が高くなる。よって、セル中心付近に位置する移動局のＣＣＥアグリゲーションサイズを１または２に限定する。各移動局は、受信品質等から判断される自局のセル内の位置に基づいて、自局が受信すべきＰＤＣＣＨのＣＣＥアグリゲーションサイズを決定してもよいし、自局が受信すべきＰＤＣＣＨのＣＣＥアグリゲーションサイズを予め通知されてもよい。
【００１４】
また、以下の説明では、セル内に位置する移動局は、４つの移動局グループ（ＵＥグループ＃１〜＃４）にグループ化される。なお、各移動局が属する移動局グループは、移動局毎に基地局から通知されてもよく、移動局ＩＤにより暗示的に決定されてもよい。
【００１５】
また、下り回線データはＯＦＤＭ（Orthogonal Frequency Division Multiplexing）により伝送され、上り回線データはＳＣ−ＦＤＭＡ（Single-Carrier Frequency Division Multiple Access）により伝送されるものとする。また、上り回線で伝送される応答信号は、ＺＡＣ（Zero Auto Correlation）系列による１次拡散とブロックワイズ拡散系列（Block-wise spreading code sequence）による２次拡散が施されるものとする。
【００１６】
（実施の形態１）
本実施の形態に係る基地局１００の構成を図１に示し、本実施の形態に係る移動局２００の構成を図２に示す。
【００１７】
なお、説明が煩雑になることを避けるために、図１では、本発明と密接に関連する下り回線データの送信、および、その下り回線データに対する応答信号の上り回線での受信に係わる構成部を示し、上り回線データの受信に係わる構成部の図示および説明を省略する。同様に、図２では、本発明と密接に関連する下り回線データの受信、および、その下り
回線データに対する応答信号の上り回線での送信に係わる構成部を示し、上り回線データの送信に係わる構成部の図示および説明を省略する。
【００１８】
図１に示す基地局１００において、符号化部１０１には、各移動局グループ（ＵＥグループ＃１〜＃４）のサーチスペース定義を示す移動局グループ情報が入力される。符号化部１０１は、入力される移動局グループ情報を符号化して変調部１０２に出力する。そして、変調部１０２は、符号化部１０１から入力される符号化後の移動局グループ情報を変調して配置部１０８に出力する。
【００１９】
符号化・変調部１０３−１〜１０３−Ｋには、各移動局宛ての上り回線データまたは下り回線データのリソース割当情報が入力される。ここで、各割当情報は、割当情報の送信に必要なＣＣＥアグリゲーションサイズのＰＤＣＣＨに割り当てられている。また、符号化・変調部１０３−１〜１０３−Ｋは、最大Ｋ個の移動局＃１〜＃Ｋに対応して備えられる。符号化・変調部１０３−１〜１０３−Ｋにおいて、各符号化部１１は、入力されるＰＤＣＣＨに割り当てられた割当情報を符号化して各変調部１２に出力する。そして、各変調部１２は、各符号化部１１から入力される符号化後の各割当情報を変調してＣＣＥ割当部１０４に出力する。
【００２０】
ＣＣＥ割当部１０４は、変調部１０３−１〜１０３−Ｋから入力される割当情報を、移動局グループ情報に基づいて１つまたは複数のＣＣＥのいずれかに割り当てる。具体的には、ＣＣＥ割当部１０４は、ＰＤＣＣＨを、ＰＤＣＣＨのＣＣＥアグリゲーションサイズがより大きいほどより多くのＵＥグループに共有される複数のサーチスペースのうち、そのＰＤＣＣＨのＣＣＥアグリゲーションサイズとそのＰＤＣＣＨの移動局グループ（ＵＥグループ）とに対応する特定のサーチスペースに割り当てる。そして、ＣＣＥ割当部１０４は、各ＣＣＥに割り当てられた割当情報を配置部１０８に出力する。ＣＣＥ割当部１０４におけるＰＤＣＣＨ割当処理の詳細については後述する。
【００２１】
一方、符号化部１０５は、入力される送信データ（下り回線データ）を符号化して再送制御部１０６に出力する。なお、複数の移動局に対する送信データがある場合、符号化部１０５は、各移動局宛ての送信データをそれぞれ符号化する。
【００２２】
再送制御部１０６は、初回送信時には、符号化後の送信データを移動局毎に保持するとともに変調部１０７に出力する。再送制御部１０６は、各移動局からのＡＣＫが判定部１１７から入力されるまで送信データを保持する。また、再送制御部１０６は、各移動局からのＮＡＣＫが判定部１１７から入力された場合、すなわち、再送時には、そのＮＡＣＫに対応する送信データを変調部１０７に出力する。
【００２３】
変調部１０７は、再送制御部１０６から入力される符号化後の送信データを変調して配置部１０８に出力する。
【００２４】
配置部１０８は、割当情報をＰＤＣＣＨ用に確保された下り回線リソースのうち割り当てたＣＣＥに対応する下り回線リソースに配置し、移動局グループ情報をブロードキャストチャネル用に確保された下り回線リソースに配置し、送信データを送信データ用に確保された下り回線リソースに配置する。そして、配置部１０８は、各チャネルを配置した後の信号をＩＦＦＴ（Inverse Fast Fourier Transform）部１０９に出力する。
【００２５】
ＩＦＦＴ部１０９は、割当情報、移動局グループ情報または送信データが配置された複数のサブキャリアに対してＩＦＦＴを行ってＯＦＤＭシンボルを生成し、ＣＰ（Cyclic Prefix）付加部１１０に出力する。
【００２６】
ＣＰ付加部１１０は、ＯＦＤＭシンボルの後尾部分と同じ信号をＣＰとしてＯＦＤＭシンボルの先頭に付加する。
【００２７】
無線送信部１１１は、ＣＰ付加後のＯＦＤＭシンボルに対しＤ／Ａ変換、増幅およびアップコンバート等の送信処理を行ってアンテナ１１２から移動局２００（図２）へ送信する。
【００２８】
一方、無線受信部１１３は、各移動局から送信されたＳＣ−ＦＤＭＡシンボルをアンテナ１１２を介して受信し、このＳＣ−ＦＤＭＡシンボルに対しダウンコンバート、Ａ／Ｄ変換等の受信処理を行う。
【００２９】
ＣＰ除去部１１４は、受信処理後のＳＣ−ＦＤＭＡシンボルに付加されているＣＰを除去する。
【００３０】
逆拡散部１１５は、移動局２００において２次拡散に用いられたブロックワイズ拡散コード系列で応答信号を逆拡散し、逆拡散後の応答信号を相関処理部１１６に出力する。
【００３１】
相関処理部１１６は、逆拡散後の応答信号と、移動局２００において１次拡散に用いられたＺＡＣ系列との相関値を求めて判定部１１７に出力する。
【００３２】
判定部１１７は、各検出窓に移動局毎の相関ピークを検出することにより、移動局毎の応答信号を検出する。例えば、判定部１１７は、移動局＃０用の検出窓＃０に相関ピークが検出された場合には、移動局＃０からの応答信号を検出する。そして、判定部１１７は、検出された応答信号がＡＣＫまたはＮＡＣＫのいずれであるかを参照信号の相関値を用いた同期検波によって判定し、移動局毎のＡＣＫまたはＮＡＣＫを再送制御部１０６に出力する。
【００３３】
一方、図２に示す移動局２００では、基地局１００から送信された移動局グループ情報、割当情報、下り回線データをそれぞれ受信する。以下、各情報の受信方法について説明する。
【００３４】
図２に示す移動局２００において、無線受信部２０２は、基地局１００（図１）から送信されたＯＦＤＭシンボルをアンテナ２０１を介して受信し、ＯＦＤＭシンボルに対しダウンコンバート、Ａ／Ｄ変換等の受信処理を行う。
【００３５】
ＣＰ除去部２０３は、受信処理後のＯＦＤＭシンボルに付加されているＣＰを除去する。
【００３６】
ＦＦＴ（Fast Fourier Transform）部２０４は、ＯＦＤＭシンボルに対してＦＦＴを行って複数のサブキャリアにマッピングされている割当情報、移動局グループ情報を含む報知情報、または、下り回線データを得て、それらを分離部２０５に出力する。
【００３７】
分離部２０５は、ＦＦＴ部２０４から入力される信号に対して、ブロードキャストチャネル用に予め確保されたリソースに配置されている報知情報を分離して報知情報復号部２０６に出力し、報知情報以外の情報を抽出部２０７に出力する。
【００３８】
報知情報復号部２０６は、分離部２０５から入力される報知情報を復号して、移動局グループ情報を取り出し、移動局グループ情報を抽出部２０７に出力する。
【００３９】
抽出部２０７および復号部２０９に対して、割当情報の符号化率を示す符号化率情報、
すなわち、ＰＤＣＣＨのＣＣＥアグリゲーションサイズを示す情報が予め入力されているとする。なお、ＰＤＣＣＨのＣＣＥアグリゲーションサイズを示す情報は、基地局１００から指示されてもよく、パイロット信号の受信品質に基づいて移動局２００により決定されてもよい。
【００４０】
また、抽出部２０７は、割当情報の受信時には、入力されるＣＣＥアグリゲーションサイズおよび移動局グループ情報に示される自局が属する移動局グループのサーチスペースに従って、複数のサブキャリアからブラインド復号対象となる割当情報を抽出して復調部２０８に出力する。
【００４１】
復調部２０８は、割当情報を復調して復号部２０９に出力する。
【００４２】
復号部２０９は、入力されるＣＣＥアグリゲーションサイズに従って割当情報を復号して判定部２１０に出力する。
【００４３】
一方、下り回線データの受信時には、抽出部２０７は、判定部２１０から入力されるリソース割当結果に従って、複数のサブキャリアから自局宛の下り回線データを抽出して復調部２１２に出力する。この下り回線データは、復調部２１２で復調され、復号部２１３で復号されてＣＲＣ部２１４に入力される。
【００４４】
ＣＲＣ部２１４は、復号後の下り回線データに対してＣＲＣを用いた誤り検出を行って、ＣＲＣ＝ＯＫ（誤り無し）の場合はＡＣＫを、ＣＲＣ＝ＮＧ（誤り有り）の場合はＮＡＣＫを応答信号として生成し、生成した応答信号を変調部２１５に出力する。また、ＣＲＣ部２１４は、ＣＲＣ＝ＯＫ（誤り無し）の場合、復号後の下り回線データを受信データとして出力する。
【００４５】
判定部２１０は、復号部２０９から入力された割当情報を自局宛の割当情報であるか否かをブラインド判定する。具体的には、判定部２１０は、復号部２０９から入力された割当情報に対して自局宛ての割当情報であるか否かをブラインド判定する。例えば、判定部２１０は、自局のＩＤ番号でＣＲＣビットをデマスキングすることによりＣＲＣ＝ＯＫ（誤り無し）となった割当情報を自局宛の割当情報であると判定する。そして、判定部２１０は、自局宛の割当情報、すなわち、自局に対する下り回線データのリソース割当結果を抽出部２０７に出力する。
【００４６】
また、判定部２１０は、自局宛の割当情報が割り当てられたＰＤＣＣＨが配置されていたサブキャリアに対応するＣＣＥ番号から、自局からの応答信号の送信に用いるＰＵＣＣＨ（Physical Uplink Control Channel）を判定し、判定結果（ＰＵＣＣＨ番号）を制御部２１１に出力する。つまり、データの割当に使用されたＰＤＣＣＨに用いられたＣＣＥ番号からＰＵＣＣＨ番号が導出される。例えば、判定部２１０は、自局宛のＰＤＣＣＨが配置されていたサブキャリアに対応するＣＣＥがＣＣＥ＃０である場合は、ＣＣＥ＃０に対応するＰＵＣＣＨ＃０を自局用のＰＵＣＣＨと判定する。また例えば判定部２１０は、自局宛のＰＤＣＣＨが配置されていたサブキャリアに対応するＣＣＥがＣＣＥ＃０〜ＣＣＥ＃３である場合は、ＣＣＥ＃０〜ＣＣＥ＃３において最小番号のＣＣＥ＃０に対応するＰＵＣＣＨ＃０を自局用のＰＵＣＣＨと判定する。
【００４７】
制御部２１１は、判定部２１０から入力されたＰＵＣＣＨ番号に従って、拡散部２１６での１次拡散に用いるＺＡＣ系列の循環シフト量および拡散部２１９での２次拡散に用いる、ＬＢ（Long Block）単位での拡散に用いられる拡散コード系列であるブロックワイズ拡散コード系列を制御する。例えば、制御部２１１は、判定部２１０から入力されたＰＵＣＣＨ番号に対応する循環シフト量のＺＡＣ系列をＺＡＣ＃０〜ＺＡＣ＃１１の１２個の
ＺＡＣの中から選択して拡散部２１６に設定し、判定部２１０から入力されたＰＵＣＣＨ番号に対応するブロックワイズ拡散コード系列をＢＷ＃０〜ＢＷ＃２の３個のブロックワイズ拡散コード系列の中から選択して拡散部２１９に設定する。つまり、制御部２１１は、ＺＡＣ＃０〜ＺＡＣ＃１１とＢＷ＃０〜ＢＷ＃２とによって定義される複数のリソースのうちいずれかのリソースを選択する。
【００４８】
変調部２１５は、ＣＲＣ部２１４から入力される応答信号を変調して拡散部２１６に出力する。
【００４９】
拡散部２１６は、制御部２１１によって設定されたＺＡＣ系列で応答信号を１次拡散し、１次拡散後の応答信号をＩＦＦＴ部２１７に出力する。つまり、拡散部２１６は、制御部２１１で選択されたリソースに対応する循環シフト量のＺＡＣ系列を用いて応答信号を１次拡散する。なお、１次拡散には、ＺＡＣ系列以外の、互いに異なる循環シフト量により互いに分離可能な系列を用いてもよい。例えば、ＧＣＬ（Generalized Chirp like）系列、ＣＡＺＡＣ（Constant Amplitude Zero Auto Correlation）系列、ＺＣ（Zadoff-Chu）系列、または、Ｍ系列や直交ゴールド符号系列等のＰＮ系列を１次拡散に用いてもよい。
【００５０】
ＩＦＦＴ部２１７は、１次拡散後の応答信号に対してＩＦＦＴを行い、ＩＦＦＴ後の応答信号をＣＰ付加部２１８に出力する。
【００５１】
ＣＰ付加部２１８は、ＩＦＦＴ後の応答信号の後尾部分と同じ信号をＣＰとしてその応答信号の先頭に付加する。
【００５２】
拡散部２１９は、制御部２１１によって設定されたブロックワイズ拡散コード系列でＣＰ付加後の応答信号を２次拡散し、２次拡散後の応答信号を無線送信部２２０に出力する。なお、２次拡散には、互いに直交する系列、または、互いにほぼ直交すると見なせる系列であればいかなる系列をブロックワイズ拡散コード系列として用いてもよい。例えば、ウォルシュ系列またはフーリエ系列等をブロックワイズ拡散コード系列として２次拡散に用いることができる。
【００５３】
無線送信部２２０は、２次拡散後の応答信号に対しＤ／Ａ変換、増幅およびアップコンバート等の送信処理を行ってアンテナ２０１から基地局１００（図１）へ送信する。
【００５４】
次に、ＣＣＥ割当部１０４におけるＣＣＥ割当方法１〜４の詳細について説明する。
【００５５】
＜割当方法１（図３）＞
本割当方法では、ＰＤＣＣＨを、ＣＣＥアグリゲーションサイズがより大きいほどより多いＵＥグループに共有される複数のサーチスペースのうち、そのＰＤＣＣＨのＣＣＥアグリゲーションサイズとそのＰＤＣＣＨの移動局グループとに対応する特定のサーチスペースに割り当てる。
【００５６】
具体的には、ＣＣＥアグリゲーションサイズが１の場合、図３に示すように、ＵＥグループ＃１のサーチスペースがＣＣＥ＃０〜ＣＣＥ＃７の８個のＣＣＥで構成され、ＵＥグループ＃２のサーチスペースがＣＣＥ＃８〜ＣＣＥ＃１５の８個のＣＣＥで構成され、ＵＥグループ＃３のサーチスペースがＣＣＥ＃１６〜ＣＣＥ＃２３の８個のＣＣＥで構成され、ＵＥグループ＃４のサーチスペースがＣＣＥ＃２４〜ＣＣＥ＃３１の８個のＣＣＥで構成される。
【００５７】
また、ＣＣＥアグリゲーションサイズが２の場合、図３に示すように、ＵＥグループ＃
１，＃２のサーチスペースがＣＣＥ＃０〜ＣＣＥ＃１５の１６個のＣＣＥで構成され、ＵＥグループ＃３，＃４のサーチスペースがＣＣＥ＃１６〜ＣＣＥ＃３１の１６個のＣＣＥで構成される。
【００５８】
また、ＣＣＥアグリゲーションサイズが４および８場合、図３に示すように、ＵＥグループ＃１〜＃４のサーチスペースがＣＣＥ＃０〜ＣＣＥ＃３１の３２個のＣＣＥ、つまり、全ＣＣＥで構成される。
【００５９】
ＣＣＥアグリゲーションサイズがより大きいほど、１つのサーチスペースを共有するＵＥグループの数がより多くなる。具体的には、ＣＣＥ＃０に着目すると、ＣＣＥ＃０は、ＣＣＥアグリゲーションサイズが１の場合、ＵＥグループ＃１のみに使用され、ＣＣＥアグリゲーションサイズが２の場合、ＵＥグループ＃１およびＵＥグループ＃２の２つのＵＥグループに使用され、ＣＣＥアグリゲーションサイズが４，８の場合、すべてのＵＥグループ＃１〜＃４に使用される。また、ＣＣＥアグリゲーションサイズが最大の８の場合、サーチスペースがすべてのＵＥグループに共有され、ＣＣＥアグリゲージョンサイズが最小の１の場合、各ＵＥグループのサーチスペースがＵＥグループ毎に異なる。
【００６０】
また、ＣＣＥアグリゲーションサイズがより大きいほど、各ＵＥグループに対応するサーチスペースはより大きくなる。具体的には、ＵＥグループ＃１に着目すると、ＵＥグループ＃１のサーチスペースは、ＣＣＥアグリゲーションサイズが１の場合、８個のＣＣＥで構成され、ＣＣＥアグリゲーションサイズが２の場合、１６個のＣＣＥで構成され、ＣＣＥアグリゲーションサイズが４，８の場合、３２個のＣＣＥで構成される。
【００６１】
よって、図３に示すように、ＣＣＥ割当部１０４は、ＵＥグループ＃１の移動局に対して、ＣＣＥ＃０〜ＣＣＥ＃７のサーチスペースに、ＣＣＥアグリゲーションサイズが１のＰＤＣＣＨを最大８個割り当てることができ、ＣＣＥ＃０〜ＣＣＥ＃１５のサーチスペースに、ＣＣＥアグリゲーションサイズが２のＰＤＣＣＨを最大８個割り当てることができる。同様に、ＣＣＥ割当部１０４は、ＣＣＥ＃０〜ＣＣＥ＃３１のサーチスペースに、ＣＣＥアグリゲーションサイズが４のＰＤＣＣＨを最大８個割り当てることができ、ＣＣＥアグリゲーションサイズが８のＰＤＣＣＨを最大４個割り当てることができる。
【００６２】
これにより、ＣＣＥ割当部１０４では、ＣＣＥアグリゲーションサイズがより大きいＰＤＣＣＨを割り当てる移動局に対する割当制限がより緩くなる。例えば、ＣＣＥ割当部１０４が、ＵＥグループ＃１のＣＣＥアグリゲーションサイズが１のＰＤＣＣＨ、および、ＣＣＥアグリゲーションサイズが８のＰＤＣＣＨを割り当てる場合について説明する。また、ここでは、ＵＥグループ＃２のＣＣＥアグリゲーションサイズが１のＰＤＣＣＨを割り当てられた移動局が存在しないものとする。
【００６３】
ＣＣＥ割当部１０４は、ＰＤＣＣＨをＣＣＥに割り当てる際、ＣＣＥアグリゲーションサイズがより小さい１のＰＤＣＣＨと同一のＣＣＥへの割当を避けてＣＣＥアグリゲーションサイズが８のＰＤＣＣＨを割り当てる。具体的には、ＣＣＥ割当部１０４は、ＣＣＥアグリゲーションサイズが１のＵＥグループ＃１のサーチスペースであるＣＣＥ＃０〜ＣＣＥ＃７を避けてＣＣＥアグリゲーションサイズが８のＰＤＣＣＨを割り当てる。ここで、ＵＥグループ＃２のＣＣＥアグリゲーションサイズが１のＰＤＣＣＨ（サーチスペース：ＣＣＥ＃８〜ＣＣＥ＃１５）を割り当てられた移動局が存在しないので、ＣＣＥ割当部１０４は、ＣＣＥアグリゲーションサイズが８のＰＤＣＣＨをＣＣＥ＃８〜ＣＣＥ＃１５に割り当てる。そして、ＣＣＥ割当部１０４は、ＵＥグループ＃１のＣＣＥアグリゲーションサイズが１のＰＤＣＣＨをＣＣＥ＃０〜ＣＣＥ＃７のいずれか１つのＣＣＥに割り当てる。
【００６４】
このように、基地局１００では、ＣＣＥアグリゲーションサイズがより大きいほど、より多くのＵＥグループでサーチスペースを共有する。このため、ＣＣＥアグリゲーションサイズがより大きいほど、より広い範囲のＣＣＥにＰＤＣＣＨを割り当てることができる。これにより、同一ＵＥグループで互いに異なるＣＣＥアグリゲーションサイズのＰＤＣＣＨを割り当てる場合でも、ＣＣＥアグリゲーションサイズがより大きいＰＤＣＣＨのＣＣＥ割当を調整することで、基地局１００は、リソース割当を制限されることなく双方のＰＤＣＣＨを割り当てることができる。
【００６５】
一方、移動局２００は、ＣＣＥアグリゲーションサイズおよび移動局グループ情報に基づいてＰＤＣＣＨの復調、復号、および、ブラインド判定を行う。例えば、ＵＥグループ＃１に属する移動局２００が、ＣＣＥアグリゲーションサイズを１と仮定してブラインド判定を行う場合、抽出部２０７は、図３に示すＣＣＥ＃０〜ＣＣＥ＃３１のうち、ＣＣＥ＃０〜ＣＣＥ＃７に対応する信号のみを復調部２０８に出力する。すなわち、復調部２０８、復号部２０９および判定部２１０では、ＣＣＥアグリゲーションサイズを１とした場合のブラインド判定の対象は、ＣＣＥ＃０〜ＣＣＥ＃７に対応するサーチスペースに限定される。同様に、ＣＣＥアグリゲーションサイズが２としてブラインド判定する場合も、抽出部２０７は、図３に示すＣＣＥ＃０〜ＣＣＥ＃３１のうち、ＣＣＥ＃０〜ＣＣＥ＃１５に対応する信号のみを復調部２０８に出力する。また、ＣＣＥアグリゲーションサイズを４および８と仮定する場合および８と仮定する場合、抽出部２０７は、図３に示すＣＣＥ＃０〜ＣＣＥ＃３１に対応する信号、つまり、すべてのＣＣＥに対応する信号を復調部２０８に出力する。
【００６６】
ここで、ＣＣＥアグリゲーションサイズが１の場合、ＵＥグループ＃１〜＃４の各ＵＥグループの８個のＣＣＥに割り当てられるＰＤＣＣＨの数は８個である。また、ＣＣＥアグリゲーションサイズが２の場合、ＵＥグループ＃１，＃２およびＵＥグループ＃３，＃４の各グループの１６個のＣＣＥに割り当てられるＰＤＣＣＨの数は８個である。一方、ＣＣＥ＃０〜ＣＣＥ＃３１に割り当てられるＰＤＣＣＨの数は、ＣＣＥアグリゲーションサイズが４の場合は８個であり、ＣＣＥアグリゲーションサイズが８の場合は４個である。つまり、ＣＣＥアグリゲーションサイズが４および８の場合にＣＣＥ＃０〜ＣＣＥ＃３１のすべてのＣＣＥでサーチスペースを構成する場合でも、ＣＣＥアグリゲーションサイズが１および２の場合と比較して、ブラインド判定の対象となるＰＤＣＣＨの数は増加しない。
【００６７】
また、ＣＣＥアグリゲーションサイズは移動局のセル内の位置または受信品質に基づいて決定される。このため、受信するＰＤＣＣＨのＣＣＥアグリゲーションサイズを移動局毎に限定することによるＣＣＥ割当の自由度低下がシステム性能に与える影響は極めて小さい。
【００６８】
また、ＵＥグループ毎のサーチスペースが連続したＣＣＥにより構成されるため、サーチスペースを基地局から移動局へ通知する際、基地局は、先頭のＣＣＥ番号および末尾のＣＣＥ番号のみを通知するだけでよく、通知情報量を少なく抑えることができる。
【００６９】
このように、本割当例によれば、ＰＤＣＣＨを、ＣＣＥアグリゲーションサイズがより大きいほど、より多くのＵＥグループに共有される複数のサーチスペースのいずれかに割り当てる。これにより、基地局は、より大きいＣＣＥアグリゲーションサイズのＰＤＣＣＨを、より小さいＣＣＥアグリゲーションサイズのＰＤＣＣＨが使用するＣＣＥと重複しないように割り当てることができる。よって、本割当方法によれば、ブラインド復号の回数が増加することなく、ＵＥグループ内でリソース割当が制限されることを防ぐことができる。
【００７０】
＜割当方法２（図４）＞
割当方法１の図３に示すサーチスペースでは、あるＵＥグループのＣＣＥアグリゲーションサイズが８のＰＤＣＣＨが１つでも使用されると、ＵＥグループ＃１〜＃４のＣＣＥアグリゲーションサイズが１のＰＤＣＣＨのいずれかが使用できなくなってしまう。
【００７１】
例えば、図３に示すサーチスペースにおいて、ＣＣＥアグリゲーションサイズが８のＰＤＣＣＨがＣＣＥ＃０〜ＣＣＥ＃７で使用されたとする。ここで、図３に示すように、ＵＥグループ＃１のＣＣＥアグリゲーションサイズが１のＰＤＣＣＨは、ＣＣＥ＃０〜ＣＣＥ＃７のいずれか１つのＣＣＥに割り当てられる。しかし、ＣＣＥ＃０〜ＣＣＥ＃７が、ＣＣＥアグリゲーションサイズが８のＰＤＣＣＨで既に使用されているため、基地局では、ＵＥグループ＃１のＣＣＥアグリゲーションサイズが１のＰＤＣＣＨを割り当てることができなくなる。また、ＣＣＥアグリゲーションサイズが８のＰＤＣＣＨが、ＣＣＥ＃８〜ＣＣＥ１５，ＣＣＥ＃１６〜ＣＣＥ２３，ＣＣＥ＃２４〜ＣＣＥ３１のいずれかに割り当てられる場合も同様にして、ＵＥグループ＃２〜＃３のＣＣＥアグリゲーションサイズが１のＰＤＣＣＨのいずれかが使用できなくなる。
【００７２】
そこで、本割当方法におけるＣＣＥ割当部１０４は、ＰＤＣＣＨを、そのＰＤＣＣＨのＣＣＥアグリゲーションサイズより大きいＣＣＥアグリゲーションサイズの複数のＰＤＣＣＨそれぞれが占有するＣＣＥで構成される特定のサーチスペースに割り当てる。
【００７３】
具体的には、ＣＣＥアグリゲーションサイズが１の場合、図４に示すように、ＵＥグループ＃１のサーチスペースがＣＣＥ＃０〜ＣＣＥ＃３およびＣＣＥ＃１６〜ＣＣＥ＃１９の８個のＣＣＥで構成され、ＵＥグループ＃２のサーチスペースがＣＣＥ＃４〜ＣＣＥ＃７およびＣＣＥ＃２０〜ＣＣＥ＃２３の８個のＣＣＥで構成される。同様に、ＵＥグループ＃３のサーチスペースがＣＣＥ＃８〜ＣＣＥ＃１１およびＣＣＥ＃２４〜ＣＣＥ＃２７の８個のＣＣＥで構成され、ＵＥグループ＃４のサーチスペースがＣＣＥ＃１２〜ＣＣＥ＃１５およびＣＣＥ＃２８〜ＣＣＥ＃３１の８個のＣＣＥで構成される。
【００７４】
また、ＣＣＥアグリゲーションサイズが２，４および８のサーチスペースは、図４に示すように、割当方法１（図３）と同様にして構成される。
【００７５】
すなわち、ＵＥグループ＃１〜＃４のＣＣＥアグリゲーションサイズが１のサーチスペースは、ＣＣＥアグリゲーションサイズが８のＰＤＣＣＨが割り当てられる４個のＰＤＣＣＨ単位（ＣＣＥ＃０〜ＣＣＥ＃７，ＣＣＥ＃８〜ＣＣＥ１５，ＣＣＥ＃１６〜ＣＣＥ２３，ＣＣＥ＃２４〜ＣＣＥ３１）のうち、２つの異なるＰＤＣＣＨ単位に分散して配置される。例えば、ＵＥグループ＃１のＣＣＥアグリゲーションサイズが１のサーチスペース（ＣＣＥ＃０〜ＣＣＥ＃３、ＣＣＥ＃１６〜ＣＣＥ＃１９）は、ＣＣＥアグリゲーションサイズが８のＰＤＣＣＨ（ＣＣＥ＃０〜ＣＣＥ＃７）およびＰＤＣＣＨ（ＣＣＥ＃１６〜ＣＣＥ＃２３）の２つの異なるＰＤＣＣＨに含まれるＣＣＥで構成される。
【００７６】
これにより、ＣＣＥアグリゲーションサイズが８のＰＤＣＣＨがＣＣＥ＃０〜ＣＣＥ＃３１のいずれに割り当てられる場合でも、分散配置された一方のサーチスペースが使用できなくても、他方のサーチスペースにＰＤＣＣＨを割り当てることが可能となる。
【００７７】
例えば、図４に示すサーチスペースにおいて、ＣＣＥ割当部１０４が、いずれかのＵＥグループのＣＣＥアグリゲーションサイズが８のＰＤＣＣＨをＣＣＥ＃０〜ＣＣＥ＃７に割り当てたとする。ここで、ＵＥグループ＃１のＣＣＥアグリゲーションサイズが１のＰＤＣＣＨがさらに割り当てられる場合、ＣＣＥ割当部１０４は、図４に示すように、ＣＣＥ＃０〜ＣＣＥ＃７が既に使用されているため、ＵＥグループ＃１のＣＣＥアグリゲーションサイズが１のサーチスペースであるＣＣＥ＃０〜ＣＣＥ＃３に割り当てることができ
ない。しかし、ＵＥグループ＃１のＣＣＥアグリゲーションサイズが１の他方のサーチスペースであるＣＣＥ＃１６〜ＣＣＥ＃１９は使用されていないため、ＣＣＥ割当部１０４は、ＵＥグループ＃１のＣＣＥアグリゲーションサイズが１のＰＤＣＣＨをＣＣＥ＃１６〜ＣＣＥ＃１９のいずれか１つに割り当てることができる。
【００７８】
このようにして、本割当方法によれば、ＰＤＣＣＨを、そのＰＤＣＣＨのＣＣＥアグリゲーションサイズより大きいＣＣＥアグリゲーションサイズの複数のＰＤＣＣＨそれぞれに占有されるＣＣＥで構成される特定のサーチスペースに割り当てる。すなわち、基地局は、ＰＤＣＣＨを、異なるＣＣＥに分散配置された特定のサーチスペースに割り当てる。これにより、異なるＣＣＥアグリゲーションサイズのＰＤＣＣＨが同時に使用される場合でも、より小さいＣＣＥアグリゲーションサイズのＰＤＣＣＨは、分散配置されたＣＣＥのいずれかを使用することができる。よって、本割当方法によれば、ＵＥグループ内でリソース割当が制限されることをさらに防ぐことができる。
【００７９】
なお、本割当方法では、図５に示すように、各ＵＥグループにおいて、より小さいＣＣＥアグリゲーションサイズのサーチスペースが、ＣＣＥアグリゲーションサイズがより大きいＰＤＣＣＨ単位に均等に含まれるようにしてもよい。具体的には、図５に示すように、ＵＥグループ＃１〜＃４のＣＣＥアグリゲーションサイズが１のサーチスペースが、ＣＣＥアグリゲーションサイズが８のＰＤＣＣＨ単位（ＣＣＥ＃０〜ＣＣＥ＃７，ＣＣＥ＃８〜ＣＣＥ１５，ＣＣＥ＃１６〜ＣＣＥ２３，ＣＣＥ＃２４〜ＣＣＥ３１）のそれぞれに２つずつ含まれる。同様にして、ＵＥグループ＃１，＃２およびＵＥグループ＃３，＃４のＣＣＥアグリゲーションサイズが２のサーチスペースが、ＣＣＥアグリゲーションサイズが８のＰＤＣＣＨ単位のそれぞれに２つずつ含まれる。つまり、ＣＣＥアグリゲーションサイズが８である４個のＰＤＣＣＨ単位に、ＣＣＥアグリゲーションサイズが１および２の各ＵＥグループのサーチスペースが分散して配置される。これにより、ＣＣＥアグリゲーションサイズがより大きいＰＤＣＣＨがいずれのＣＣＥに割り当てられる場合でも、本割当方法と同様、ＣＣＥアグリゲーションサイズがより小さいＰＤＣＣＨを、リソース割当制限されることなく、ＣＣＥ＃０〜ＣＣＥ＃３１のいずれかで割り当てることが可能となる。
【００８０】
＜割当方法３（図６）＞
本割当方法では、各移動局が複数のＣＣＥアグリゲーションサイズのサーチスペースをブラインド復号する場合について説明する。例えば、セル中心付近に位置する移動局は、ＣＣＥアグリゲーションサイズが１および２のサーチスペースをブラインド復号する。また、セルエッジ付近に位置する移動局は、ＣＣＥアグリゲーションサイズが４および８のサーチスペースをブラインド復号する。また、セル中心とセルエッジとの間に位置する移動局は、ＣＣＥアグリゲーションサイズが２および４のサーチスペースをブラインド復号する。
【００８１】
このとき、割当方法１の図３に示すサーチスペースでは、同一ＵＥグループで、複数の異なるＣＣＥアグリゲーションサイズのＰＤＣＣＨが使用されると、ＣＣＥアグリゲーションサイズが１または２のＰＤＣＣＨの使用が制限されてしまうことがある。
【００８２】
例えば、図３に示すサーチスペースにおいて、ＵＥグループ＃１のＣＣＥアグリゲーションサイズが８のＰＤＣＣＨ（ＣＣＥ＃０〜ＣＣＥ＃７）が使用されたとする。ここで、図３に示すように、ＣＣＥアグリゲーションサイズが１の場合、ＵＥグループ＃１のサーチスペースは、ＣＣＥ＃０〜ＣＣＥ＃７で構成され、ＣＣＥアグリゲーションサイズが２の場合、ＵＥグループ＃１のサーチスペース（ＵＥグループ＃２と共有）は、ＣＣＥ＃０〜ＣＣＥ＃１５で構成される。つまり、ＣＣＥアグリゲーションサイズが１および２のサーチスペースは、ＣＣＥ＃０〜ＣＣＥ＃７で重複して構成される。よって、ＣＣＥ＃０〜
ＣＣＥ＃７のすべてのＣＣＥが、ＣＣＥアグリゲーションサイズが８のＰＤＣＣＨで既に使用されているため、基地局では、ＵＥグループ＃１のＣＣＥアグリゲーションサイズが１のＰＤＣＣＨを割り当てられなくなり、かつ、ＵＥグループ＃１のＣＣＥアグリゲーションサイズが２のＰＤＣＣＨをＣＣＥ＃８〜ＣＣＥ＃１５のみしか割り当てられなくなる。
【００８３】
そこで、本割当方法におけるＣＣＥ割当部１０４は、ＰＤＣＣＨを、同一ＵＥグループ内の、互いに異なるＣＣＥアグリゲーションサイズの、互いに異なるＣＣＥで構成される複数のサーチスペースのうちの特定のサーチスペースに割り当てる。
【００８４】
具体的には、ＣＣＥアグリゲーションサイズが１の場合、図６に示すように、ＵＥグループ＃１のサーチスペースがＣＣＥ＃１６〜ＣＣＥ＃２３の８個のＣＣＥで構成され、ＵＥグループ＃２のサーチスペースがＣＣＥ＃２４〜ＣＣＥ＃３１の８個のＣＣＥで構成される。また、ＵＥグループ＃３のサーチスペースがＣＣＥ＃０〜ＣＣＥ＃７の８個のＣＣＥで構成され、ＵＥグループ＃４のサーチスペースがＣＣＥ＃８〜ＣＣＥ＃１５の８個のＣＣＥで構成される。
【００８５】
また、ＣＣＥアグリゲーションサイズが２，４および８のサーチスペースは、図６に示すように、割当方法１（図３）と同様にして構成される。
【００８６】
すなわち、同一ＵＥグループにおいて、各ＵＥグループのＣＣＥアグリゲーションサイズが１のサーチスペースは、ＣＣＥアグリゲーションサイズが２のサーチスペースと異なるＣＣＥで構成される。例えば、ＵＥグループ＃１のＣＣＥアグリゲーションサイズが１のサーチスペース（ＣＣＥ＃１６〜ＣＣＥ＃２３）およびＵＥグループ＃２のＣＣＥアグリゲーションサイズが１のサーチスペース（ＣＣＥ＃２４〜ＣＣＥ＃３１）は、ＵＥグループ＃１、＃２のＣＣＥアグリゲーションサイズが２のサーチスペース（ＣＣＥ＃０〜ＣＣＥ＃１５）と異なるＣＣＥで構成されている。ＵＥグループ＃３およびＵＥグループ＃４についても同様である。
【００８７】
これにより、ＣＣＥアグリゲーションサイズが１および２のサーチスペースを構成するＣＣＥの選択範囲が割当方法１（図３）より広くなるため、ＣＣＥアグリゲーションサイズが１および２のＰＤＣＣＨが割り当てられる移動局（セル中心付近の移動局）へのリソース割当がより柔軟になる。例えば、ＣＣＥアグリゲーションサイズが８のＰＤＣＣＨ（セルエッジ付近の移動局宛てのＰＤＣＣＨ）がＣＣＥ＃０〜ＣＣＥ＃７に割り当てられているとする。このとき、ＣＣＥ割当部１０４は、ＵＥグループ＃１のＣＣＥアグリゲーションサイズが１または２のＰＤＣＣＨ（セル中心付近の移動局宛てのＰＤＣＣＨ）を、ＣＣＥ＃０〜ＣＣＥ＃７に割り当てることができない。しかし、ＣＣＥ割当部１０４は、ＣＣＥ＃８〜ＣＣＥ＃１５にＣＣＥアグリゲーションサイズが２のＰＤＣＣＨを割り当てることができ、ＣＣＥ＃１６〜ＣＣＥ＃２３にＣＣＥアグリゲーションサイズが１のＰＤＣＣＨを割り当てることができる。つまり、本割当方法によれば、ＣＣＥ割当部１０４は、より小さいＣＣＥアグリゲーションサイズのサーチスペースを重複しないＣＣＥで構成することで、ＣＣＥアグリゲーションサイズがより小さい１および２のＰＤＣＣＨを、柔軟に割り当てることができる。
【００８８】
このようにして、本割当方法では、ＰＤＣＣＨを、同一ＵＥグループ内の、互いに異なるＣＣＥアグリゲーションサイズの、互いに異なるＣＣＥで構成される複数のサーチスペースのうちの特定のサーチスペースに割り当てる。これにより、より小さいＣＣＥアグリゲーションサイズのサーチスペースの選択幅が割当方法１よりも広くなる。このため、より大きいＣＣＥアグリゲーションサイズのＰＤＣＣＨが使用される場合でも、より小さいＣＣＥアグリゲーションサイズのＰＤＣＣＨを柔軟に割り当てることができる。よって、
本割当方法によれば、各移動局が複数のＣＣＥアグリゲーションサイズのサーチスペースをブラインド復号する場合でも、ＵＥグループ内のリソース割当の制限されることを防ぐことができる。
【００８９】
＜割当方法４（図７）＞
上り回線のリソース割当に用いたＣＣＥ番号と応答信号を伝送するＰＵＣＣＨ番号とを対応付ける際、移動局では、自局宛の割当情報が配置されているＰＤＣＣＨを構成する１つまたは複数のＣＣＥのうち最小番号のＣＣＥに対応するＰＵＣＣＨを自局用のＰＵＣＣＨと判定する。よって、すべてのＣＣＥ（例えば、ＣＣＥ＃０〜ＣＣＥ＃３１）に対してＰＵＣＣＨが１対１で対応付けられる場合、リソース使用量が膨大となってしまう。
【００９０】
そこで、本割当方法に係るＣＣＥ割当部１０４は、ＰＤＣＣＨを、ＣＣＥアグリゲーションサイズがより小さいほど、より少ないＣＣＥで構成される複数のサーチスペースのうちの特定のサーチスペースに割り当てる。
【００９１】
具体的には、ＣＣＥアグリゲーションサイズが１の場合、図７に示すように、ＵＥグループ＃１,＃２のサーチスペースがＣＣＥ＃１６〜ＣＣＥ＃２３の８個のＣＣＥで構成され、ＵＥグループ＃３，＃４のサーチスペースがＣＣＥ＃２４〜ＣＣＥ＃３１の８個のＣＣＥで構成される。また、ＣＣＥアグリゲーションサイズが２の場合、ＵＥグループ＃１〜＃４のサーチスペースがＣＣＥ＃１６〜ＣＣＥ＃３１の１６個のＣＣＥで構成される。また、ＣＣＥアグリゲーションサイズが４および８のサーチスペースは、図７に示すように、割当方法１（図３）と同様にして構成される。
【００９２】
すなわち、ＣＣＥアグリゲーションサイズがより小さい１または２の場合、ＵＥグループ＃１〜＃４のサーチスペースは、ＣＣＥ＃０〜ＣＣＥ＃３１の３２個のＣＣＥのうち、半数の１６個のＣＣＥで構成される。つまり、図７に示すように、ＣＣＥ＃０〜ＣＣＥ＃１５は、ＣＣＥアグリゲーションサイズが１および２の場合には使用されない。
【００９３】
よって、図７に示すＣＣＥ＃０〜ＣＣＥ＃１５は、ＣＣＥアグリゲーションサイズが４および８のＰＤＣＣＨのみにしか使用されない。そこで、ＣＣＥ割当部１０４は、ＣＣＥアグリゲーションサイズが４または８のＰＤＣＣＨを割り当てる際、ＣＣＥ＃０〜ＣＣＥ＃１５を優先的に使用する。これにより、ＣＣＥ割当部１０４は、ＣＣＥアグリゲーションサイズが１および２のＰＤＣＣＨを、リソース割当制限を受けることなく、ＣＣＥ＃１６〜ＣＣＥ＃３１の各サーチスペースに割り当てることができる。
【００９４】
また、図７に示すサーチスペースのＣＣＥ＃０〜ＣＣＥ＃１５では、ＣＣＥアグリゲーションサイズが１および２のＰＤＣＣＨは使用されないため、ＣＣＥアグリゲーションサイズが４および８のＰＤＣＣＨを構成するＣＣＥのうち最小番号のＣＣＥに対応するＰＵＣＣＨのみのリソースが確保される。つまり、図７に示すように、ＣＣＥ＃０，ＣＣＥ＃４，ＣＣＥ＃８，ＣＣＥ＃１２の４個のＣＣＥにそれぞれ対応付けられた４個のＰＵＣＣＨのリソースが確保される。よって、ＣＣＥ＃０〜ＣＣＥ＃１５の１５個のＣＣＥに対して、４個のＣＣＥに対応するＰＵＣＣＨのリソースのみ確保すればよい。また、ＣＣＥ＃１６〜ＣＣＥ＃３１では、ＣＣＥアグリゲーションサイズが１および２のＰＤＣＣＨが使用されるため、ＣＣＥ＃１６〜ＣＣＥ＃３１の１６個のＣＣＥにそれぞれ対応付けられた１６個のＰＵＣＣＨのリソースが確保される。このように、より小さいＣＣＥアグリゲーションサイズのサーチスペースを構成するＣＣＥの数を制限することで、ＣＣＥに対応付けられたＰＵＣＣＨに確保するリソース量を削減することができる。
【００９５】
このようにして、本割当方法によれば、割当方法１と同様、より小さいＣＣＥアグリゲーションサイズのＰＤＣＣＨを、リソース割当制限を受けることなくＣＣＥに割り当てる
ことができ、さらに、ＣＣＥに対応付けられたＰＵＣＣＨに確保するリソース量を削減することができる。
【００９６】
なお、本割当方法では、サーチスペースの定義をトラフィック量に応じてsemi-staticに切り替えてもよい。例えば、トラフィック量が少ない場合には、本割当例のサーチスペースの定義（図７）を用いて、トラフィック量が多い場合には、例えば、割当方法３のサーチスペースの定義（図６）を用いてもよい。これにより、ＣＣＥに対応するＰＵＣＣＨのリソース量を無駄なく確保することができる。
【００９７】
また、本割当方法では、ＣＣＥアグリゲーションサイズが１および２のサーチスペースを、ＣＣＥ＃１６〜ＣＣＥ＃３１で構成する場合について説明した。しかし、本割当方法では、ＣＣＥアグリゲーションサイズが１および２のサーチスペースを、ＣＣＥ＃０〜ＣＣＥ＃１５で構成してもよい。
【００９８】
また、本割当方法では、ＣＣＥとＰＵＣＣＨ（下り回線データに対する応答信号）とを対応付ける場合について説明したが、本発明は、ＣＣＥとＰＨＩＣＨ（Physical Hybrid ARQ Indicator Channel）とを対応付けても上記同様の効果を得ることができる。ここで、ＰＨＩＣＨには上り回線データに対する応答信号が割り当てられる。
【００９９】
また、本割当方法の説明で用いたＰＵＣＣＨは、ＡＣＫまたはＮＡＣＫをフィードバックするためのチャネルであるため、ＡＣＫ／ＮＡＣＫチャネルと称されることもある。
【０１００】
また、本発明は、応答信号以外の制御情報をフィードバックする場合にも上記同様にして実施可能である。
【０１０１】
以上、本実施の形態に係るＰＤＣＣＨの割当方法１〜４について説明した。
【０１０２】
このように、本実施の形態によれば、より大きいＣＣＥアグリゲーションサイズのＰＤＣＣＨは、より小さいＣＣＥアグリゲーションサイズのＰＤＣＣＨに割り当てられるＣＣＥと重複しないようにしてＣＣＥを柔軟に用いることができる。よって、本実施の形態によれば、ＵＥグループ内でリソース割当が制限されることを防ぐことができる。
【０１０３】
なお、本実施の形態では、上述した割当方法１〜４を組み合わせてサーチスペースを構成してもよい。例えば、割当方法２と割当方法３とを組み合わせたサーチスペースを図８に示す。ここでは、図８に示すように、ＣＣＥアグリゲーションサイズが４の場合において、ＵＥグループ＃１，＃２のサーチスペースがＣＣＥ＃０〜ＣＣＥ＃１５で構成され、ＵＥグループ＃３，＃４のサーチスペースがＣＣＥ＃１６〜ＣＣＥ＃３１で構成される。その際、割当方法２と同様にして、各ＵＥグループのＣＣＥアグリゲーションサイズが２のサーチスペースは、ＣＣＥアグリゲーションサイズが４の２個のサーチスペース双方に含まれるように分散配置される。また、ＣＣＥアグリゲーションサイズが１のサーチスペースも、割当方法２と同様にして、より大きいＣＣＥアグリゲーションサイズの互いに異なるＰＤＣＣＨが占有するＣＣＥに分散配置される。さらに、ＣＣＥアグリゲーションサイズが１の一部のサーチスペースは、割当方法３と同様にして、同一ＵＥグループの異なるＣＣＥアグリゲーションサイズのサーチスペースと異なるＣＣＥで構成される。例えば、ＵＥグループ＃１のＣＣＥアグリゲーションサイズが１の一方のサーチスペース（ＣＣＥ＃０〜ＣＣＥ＃３）は、ＣＣＥアグリゲーションサイズが２のサーチスペース（ＣＣＥ＃０〜ＣＣＥ＃８）と重複する。しかし、他方のサーチスペース（ＣＣＥ＃２４〜ＣＣＥ＃２７）は、ＣＣＥアグリゲーションサイズが２のサーチスペース（ＣＣＥ＃０〜ＣＣＥ＃８、ＣＣＥ＃１６〜ＣＣＥ＃２３）のいずれとも重複しない。これにより、本実施の形態の割当方法２および割当方法３と同様の効果を得ることができる。
【０１０４】
（実施の形態２）
本実施の形態では、各ＵＥグループの互いに異なるＣＣＥアグリゲーションサイズのサーチスペースが互いに異なるＣＣＥで構成される。
【０１０５】
以下の説明では、ＵＥグループ＃１〜＃４の各ＣＣＥアグリゲーションサイズのサーチスペースは、８個のＣＣＥで構成される。具体的には、図９に示すように、ＵＥグループ＃１において、ＣＣＥアグリゲーションサイズが１のサーチスペースがＣＣＥ＃２４〜ＣＣＥ＃３１の８個のＣＣＥで構成され、ＣＣＥアグリゲーションサイズが２のサーチスペースがＣＣＥ＃１６〜ＣＣＥ＃２３の８個のＣＣＥで構成され、ＣＣＥアグリゲーションサイズが４のサーチスペースがＣＣＥ＃８〜ＣＣＥ＃１５の８個のＣＣＥで構成され、ＣＣＥアグリゲーションサイズが８のサーチスペースがＣＣＥ＃０〜ＣＣＥ＃７の８個のＣＣＥで構成される。図９に示すように、ＵＥグループ＃２〜＃４についても同様である。
【０１０６】
すなわち、図９に示すように、各ＵＥグループのＣＣＥアグリゲーションサイズが１，２，４，８のサーチスペースは、ＣＣＥ＃０〜ＣＣＥ＃３１の全体に渡って、それぞれが互いに異なるＣＣＥで構成される。これにより、より大きいＣＣＥアグリゲーションサイズのＰＤＣＣＨ（例えば、ＣＣＥアグリゲーションサイズが８のＰＤＣＣＨ）が使用される場合でも、ＣＣＥ割当部１０４は、より小さいＣＣＥアグリゲーションサイズのＰＤＣＣＨを確実に割り当てることができる。すなわち、同一ＵＥグループにおいて、より大きいＣＣＥアグリゲーションサイズのＰＤＣＣＨが使用される場合でも、より小さいＣＣＥアグリゲーションサイズのＰＤＣＣＨが割当不可能になることはない。また、実施の形態１の割当方法３と同様、互いに異なるＣＣＥアグリゲーションサイズのサーチスペースは互いに異なるＣＣＥで構成される。このため、各移動局が複数のＣＣＥアグリゲーションサイズのサーチスペースをブラインド復号する場合でも、ＣＣＥ割当部１０４は、実施の形態１の割当方法３と同様、使用するＣＣＥが重複することなく、より多くのＣＣＥに対して柔軟にＰＤＣＣＨを割り当てることができる。
【０１０７】
このようにして、本実施の形態によれば、同一ＵＥグループの互いに異なるＣＣＥアグリゲーションサイズのサーチスペースが、互いに異なるＣＣＥで構成される。これにより、同一ＵＥグループで異なるＣＣＥアグリゲーションサイズのＰＤＣＣＨが同時に割り当てられる場合でも、より小さいアグリゲーションサイズのＰＤＣＣＨが割り当てられなくなることを防ぐことができる。よって、本実施の形態によれば、実施の形態１と同様、ＵＥグループ内でリソース割当が制限されることを防ぐことができる。
【０１０８】
さらに、本実施の形態では、すべてのＣＣＥアグリゲーションサイズのサーチスペースを構成するＣＣＥの数が同一（図９では８個のＣＣＥ）であり、異なるＣＣＥアグリゲーションサイズ毎にパラメータを設定する必要が無い。よって、本実施の形態によれば、システムを簡素化することができる。
【０１０９】
なお、図１０に示すように、各ＵＥグループの各ＣＣＥアグリゲーションサイズのサーチスペースを、ＣＣＥ＃０〜ＣＣＥ＃３１に渡って分散配置してもよい。すなわち、図１０に示すように、同一ＵＥグループの異なるＣＣＥアグリゲーションサイズのサーチスペースは、ＣＣＥ＃０〜ＣＣＥ＃３１に渡って分散配置された８個のＣＣＥで構成される。ここで、実施の形態１の割当方法２と同様にして、同一ＵＥグループにおいて、より小さいＣＣＥアグリゲーションサイズのサーチスペースは、より大きいＣＣＥアグリゲーションサイズの互いに異なる複数のサーチスペースそれぞれに含まれるＣＣＥで構成される。これにより、一方のサーチスペースが使用できない場合でも、他方のサーチスペースを使用できるため、リソース割当が制限されることを防止することができる。これにより、本実施の形態と同様の効果を得つつ、実施の形態１の割当方法２と同様の効果を得ることが
できる。
【０１１０】
以上、本発明の各実施の形態について説明した。
【０１１１】
なお、移動局は端末局、UE、MT、MS、STA（Station）と称されることもある。また、基地局はNode B、BS、APと称されることもある。また、サブキャリアはトーンと称されることもある。また、ＣＰはガードインターバル（Guard Interval；ＧＩ）と称されることもある。また、ＣＣＥ番号はＣＣＥインデックス（CCE Index）と称されることもある。
【０１１２】
また、例えば、報知情報が送信されるＤ−ＢＣＨ（Dynamic-Broadcast Channel）または、ページング情報が送信されるＰＣＨ（Paging Channel）等の制御チャネル送信のためのリソース割当通知に用いられるＰＤＣＣＨは、セル内のすべての移動局、または、複数の移動局が受信する必要がある。よって、これらの制御チャネルは、セルエッジ付近の移動局まで通知する必要があるため、ＣＣＥアグリゲーションサイズが８のＰＤＣＣＨが割り当てられることが考えられる。そこで、本発明を適用することで、Ｄ−ＢＣＨまたはＰＣＨ（ＣＣＥアグリゲーションサイズが８）が使用される場合でも、他のＣＣＥアグリゲーションサイズのＰＤＣＣＨを、リソース割当の制限を受けることなく特定のサーチスペースに割り当てることができる。
【０１１３】
また、誤り検出の方法はＣＲＣに限られない。
【０１１４】
また、周波数領域と時間領域との間の変換を行う方法は、ＩＦＦＴ、ＦＦＴに限られない。
【０１１５】
また、上記実施の形態では、下り回線の伝送方式にＯＦＤＭ、上り回線の伝送方式にＳＣ−ＦＤＭＡを用いて信号を送信する場合について説明したが、本発明は、ＯＦＤＭおよびＳＣ−ＦＤＭＡ以外の伝送方式を用いても適用可能である。
【０１１６】
また、上記実施の形態では、本発明をハードウェアで構成する場合を例にとって説明したが、本発明はソフトウェアで実現することも可能である。
【０１１７】
また、上記実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１１８】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【０１１９】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１２０】
２００８年１月４日出願の特願２００８−０００１９６の日本出願に含まれる明細書、図面および要約書の開示内容は、すべて本願に援用される。
【産業上の利用可能性】
【０１２１】
本発明は、移動体通信システム等に適用することができる。
【図面の簡単な説明】
【０１２２】
【図１】本発明の実施の形態１に係る基地局の構成を示すブロック図
【図２】本発明の実施の形態１に係る移動局の構成を示すブロック図
【図３】本発明の実施の形態１の割当方法１に係るサーチスペースを示す図
【図４】本発明の実施の形態１の割当方法２に係るサーチスペースを示す図
【図５】本発明の実施の形態１の割当方法２に係るその他のサーチスペースを示す図
【図６】本発明の実施の形態１の割当方法３に係るサーチスペースを示す図
【図７】本発明の実施の形態１の割当方法４に係るサーチスペースを示す図
【図８】本発明の実施の形態１のその他のサーチスペースを示す図
【図９】本発明の実施の形態２に係るサーチスペースを示す図
【図１０】本発明の実施の形態２に係るその他のサーチスペースを示す図
【手続補正３】
【補正対象書類名】図面
【補正対象項目名】全図
【補正方法】変更
【補正の内容】
【図１】
2009087742.tif 000013
【図２】
2009087742.tif 000014
【図３】
2009087742.tif 000015
【図４】
2009087742.tif 000016
【図５】
2009087742.tif 000017
【図６】
2009087742.tif 000018
【図７】
2009087742.tif 000019
【図８】
2009087742.tif 000020
【図９】
2009087742.tif 000021
【図１０】
2009087742.tif 000022
【国際調査報告】
2009087742.tif 000023
2009087742.tif 000024